(57)【要約】【課題】高品位の表示装置及び電子機器を提供する。【解決手段】実施形態によれば、複数の第１、２配線と、電極層と、画素電極と、表示層と、制御部と、を含む表示装置が提供される。第１配線は、第１方向に延在し第２方向に並ぶ。第２は、第２方向に延在し第１方向に並ぶ。電極層は、第１方向及び第２方向を含む平面に沿って延在し、開口部を有する。画素電極は、スイッチ素子を介して、第１、第２配線と接続される。表示層は、光学特性の変化または発光の光学動作を行う。第１配線は、第１、第２グループを含む。第２配線は、第１、第２信号線を含む。制御部は、第１グループに含まれる第１配線を選択して、第１極性の画像信号を、第１、第２信号線に供給する第１動作と、第２グループに含まれる第１配線を選択して、第１極性とは逆の第２極性の画像信号を第１、第２信号線に供給する第２動作と、を行う。【選択図】図１
2015206985.tif 000002
【特許請求の範囲】
【請求項１】
第１方向に延在し前記第１方向と交差する第２方向に並ぶ複数の第１配線と、
前記第２方向に延在し前記第１方向に並ぶ複数の第２配線と、
それぞれが前記複数の第１配線のいずれか及び前記複数の第２配線のいずれかと電気的に接続された複数のスイッチ素子と、
それぞれが前記複数のスイッチ素子のそれぞれと電気的に接続された複数の画素電極と、
前記第１方向及び前記第２方向を含む平面に沿う電極層であって、前記平面と交差する方向において前記電極層を貫通する複数の開口部を有する電極層と、  
前記複数の画素電極に与えられる電気信号に基づいて、光学特性の変化と、発光と、の少なくともいずれかの光学動作を行う表示層と、
第１色の複数の第１色フィルタと、
前記複数の第１配線と、前記複数の第２配線と、前記電極層と、に電気的に接続された制御部と、
を備え、
前記複数の第１配線は、
前記複数の第１配線の一部を含む第１グループと、
前記複数の第１配線の別の一部を含み前記第１グループの前記第２方向の隣の第２グループと、
を含み、
前記複数の画素電極は、前記平面に投影したときにそれぞれが前記複数の第１色フィルタのいずれかと重なる複数の第１色電極を含み、
前記複数の第２配線は、複数の第１色配線を含み、
前記複数の第１色配線は、
第１信号線と、
前記複数の第１色配線のうちで前記第１信号線に最も近い第２信号線と、
を含み、
前記複数のスイッチ素子は、
それぞれが、前記第１グループに含まれる前記複数の第１配線のそれぞれと、前記第１信号線と、に電気的に接続された複数の第１スイッチと、
それぞれが、前記第２グループに含まれる前記複数の第１配線のそれぞれと、前記第１信号線と、に電気的に接続された複数の第２スイッチと、
それぞれが、前記第１グループに含まれる前記複数の第１配線のそれぞれと、前記第２信号線と、に電気的に接続された複数の第３スイッチと、
それぞれが、前記第２グループに含まれる前記複数の第１配線のそれぞれと、前記第２信号線と、に電気的に接続された複数の第４スイッチと、
を含み、
前記複数の第１色電極は、
それぞれが前記複数の第１スイッチのそれぞれと電気的に接続された複数の第１画素電極と、
それぞれが前記複数の第２スイッチのそれぞれと電気的に接続された複数の第２画素電極と、
それぞれが前記複数の第３スイッチのそれぞれと電気的に接続された複数の第３画素電極と、
それぞれが前記複数の第４スイッチのそれぞれと電気的に接続された複数の第４画素電極と、
を含み、
前記複数の開口部の少なくとも一部は、前記平面に投影したときに前記第１信号線の少なくとも一部と重なり、
前記電極層の少なくとも一部は、前記平面に投影したときに前記複数の第１画素電極、前記複数の第２画素電極、前記複数の第３画素電極及び前記複数の第４画素電極と重なり、
前記制御部は、
第１表示期間において、前記第１グループに含まれる前記複数の第１配線を順次選択して、前記電極層を基準とした第１極性の第１画像信号を前記第１信号線に供給し、前記電極層を基準とした前記第１極性の第３画像信号を前記第２信号線に供給する第１動作と、
前記第１表示期間の後の第２表示期間において、前記第２グループに含まれる前記複数の第１配線を順次選択して、前記電極層を基準とした前記第１極性とは逆の第２極性の第２画像信号を前記第１信号線に供給し、前記電極層を基準とした前記第２極性の第４画像信号を前記第２信号線に供給する第２動作と、
を行う表示装置。
【請求項２】
前記第１色とは異なる第２色の複数の第２色フィルタをさらに備え、
前記複数の画素電極は、前記平面に投影したときに前記複数の第２色フィルタのいずれかと重なる複数の第２色電極をさらに含み、
前記複数の第２配線は、複数の第２色配線をさらに含み、
前記複数の第２色配線は、
前記複数の第２配線のうちで前記第１方向において前記第１信号線に最も近い第３信号線と、
前記複数の第２配線のうちで前記第１方向において前記第２信号線に基も近い第４信号線と、
を含み、
前記複数のスイッチ素子は、
それぞれが、前記第１グループに含まれる前記複数の第１配線のそれぞれと、前記第３信号線と、に電気的に接続された複数の第５スイッチと、
それぞれが、前記第２グループに含まれる前記複数の第１配線のそれぞれと、前記第３信号線と、に電気的に接続された複数の第６スイッチと、
それぞれが、前記第１グループに含まれる前記複数の第１配線のそれぞれと、前記第４信号線と、に電気的に接続された複数の第７スイッチと、
それぞれが、前記第２グループに含まれる前記複数の第１配線のそれぞれと、前記第４信号線と、に電気的に接続された複数の第８スイッチと、
をさらに含み、
前記複数の第２色電極は、
それぞれが前記複数の第５スイッチのそれぞれと電気的に接続された複数の第５画素電極と、
それぞれが前記複数の第６スイッチのそれぞれと電気的に接続された複数の第６画素電極と、
それぞれが前記複数の第７スイッチのそれぞれと電気的に接続された複数の第７画素電極と、
それぞれが前記複数の第８スイッチのそれぞれと電気的に接続された複数の第８画素電極と、
を含み、
前記電極層の一部は、前記平面に投影したときに前記複数の第５画素電極、前記複数の第６画素電極、前記複数の第７画素電極及び前記複数の第８画素電極と重なり、
前記第１動作は、前記第１表示期間において、前記第１グループに含まれる前記複数の第１配線を順次選択して、前記電極層を基準とした前記第１極性の第５画像信号を前記第３信号線に供給し、前記電極層を基準とした前記第２極性の第７画像信号を前記第４信号線に供給する動作を含み、
前記第２動作は、前記第２表示期間において、前記第２グループに含まれる前記複数の第１配線を順次選択して、前記電極層を基準とした前記第１極性の第６画像信号を前記第３信号線に供給し、前記電極層を基準とした前記第２極性の第８画像信号を前記第４信号線に供給する動作を含む請求項１記載の表示装置。
【請求項３】
前記第１色及び前記第２色とは異なる第３色の複数の第３色フィルタをさらに備え、
前記複数の画素電極は、前記平面に投影したときに前記複数の第３色フィルタと重なる複数の第３色電極をさらに含み、
前記複数の第２配線は、複数の第３色配線を含み、
前記複数の第３色配線は、前記第１信号線と前記第２信号線との間に設けられた第５信号線を含み、
前記複数のスイッチ素子は、それぞれが、前記第１グループに含まれる前記複数の第１配線のそれぞれと、前記第５信号線と、に電気的に接続された複数の第９スイッチをさらに含み、
前記複数の第３色電極は、それぞれが前記複数の第９スイッチのそれぞれと電気的に接続された複数の第９画素電極を含む請求項２記載の表示装置。
【請求項４】
前記第１色、前記第２色及び前記第３色とは異なる第４色の複数の第４色フィルタをさらに備えた請求項３記載の表示装置。
【請求項５】
前記複数の画素電極は、前記平面に投影したときに前記複数の第４色フィルタのいずれかと重なる複数の第４色電極をさらに含み、
前記複数の第２配線は、第４色配線をさらに含み、
前記複数の第４色配線は、前記第１信号線と前記第２信号線との間に設けられた第６信号線を含み、
前記複数のスイッチ素子は、それぞれが、前記第１グループに含まれる前記複数の第１配線のそれぞれと、前記第６信号線と、に電気的に接続された複数の第１１スイッチをさらに含み、
前記複数の第４色電極は、それぞれが前記複数の第１１スイッチのそれぞれと電気的に接続された複数の第１１画素電極をさらに含む請求項４記載の表示装置。
【請求項６】
第１方向に延在し前記第１方向と交差する第２方向に並ぶ複数の第１配線と、
前記第２方向に延在し前記第１方向に並ぶ複数の第２配線と、
それぞれが前記複数の第１配線のいずれか及び前記複数の第２配線のいずれかと電気的に接続された複数のスイッチ素子と、
それぞれが前記複数のスイッチ素子のそれぞれと電気的に接続された複数の画素電極と、
前記第１方向及び前記第２方向を含む平面に沿う電極層であって、前記平面と交差する方向において前記電極層を貫通する複数の開口部を有する電極層と、  
前記複数の画素電極に与えられる電気信号に基づいて、光学特性の変化と、発光と、の少なくともいずれかの光学動作を行う表示層と、
第１色の複数の第１色フィルタと、
前記複数の第１配線と、前記複数の第２配線と、前記電極層と、に電気的に接続された制御部と、
を備え、
前記複数の第１配線は、
前記複数の第１配線の一部を含む第１グループと、
前記複数の第１配線の別の一部を含み前記第１グループの前記第２方向の隣の第２グループと、
を含み、
前記複数の画素電極は、前記平面に投影したときにそれぞれが前記複数の第１色フィルタのいずれかと重なる複数の第１色電極を含み、
前記複数の第２配線は、複数の第１色配線を含み、
前記複数の第１色配線は、第１信号線を含み、
前記複数のスイッチ素子は、
それぞれが、前記第１グループに含まれる前記複数の第１配線のそれぞれと、前記第１信号線と、に電気的に接続された複数の第１スイッチと、
それぞれが、前記第２グループに含まれる前記複数の第１配線のそれぞれと、前記第１信号線と、に電気的に接続された複数の第２スイッチと、
を含み、
前記複数の第１色電極は、
それぞれが前記複数の第１スイッチのそれぞれと電気的に接続された複数の第１画素電極と、
それぞれが前記複数の第２スイッチのそれぞれと電気的に接続された複数の第２画素電極と、
を含み、
前記複数の開口部の少なくとも一部は、前記平面に投影したときに前記第１信号線の少なくとも一部と重なり、
前記電極層の少なくとも一部は、前記平面に投影したときに前記複数の第１画素電極及び前記複数の第２画素電極と重なり、
前記制御部は、
第１フレームを表示する期間のうちの第１表示期間において、前記第１グループに含まれる前記複数の第１配線を順次選択して、前記電極層を基準とした第１極性の第１信号を前記第１信号線に供給する第１動作と、
前記第１フレームを表示する期間のうちの、前記第１表示期間の後の第２表示期間において、前記第２グループに含まれる前記複数の第１配線を順次選択して、前記電極層を基準とした前記第１極性とは逆の第２極性の第２信号を前記第１信号線に供給する第２動作と、
前記第１フレームの次の第２フレームを表示する期間のうちの第３表示期間において、前記第１グループに含まれる前記複数の第１配線を順次選択して、前記電極層を基準とした前記第１極性の第３信号を前記第１信号線に供給する第３動作と、
前記第２フレームを表示する期間のうちの、前記第３表示期間の後の第４表示期間において、前記第２グループに含まれる前記複数の第１配線を順次選択して、前記電極層を基準とした前記第２極性の第４信号を前記第１信号線に供給する第４動作と、
を行う表示装置。
【請求項７】
前記第１色とは異なる第２色の複数の第２色フィルタをさらに備え、
前記複数の画素電極は、前記平面に投影したときに前記複数の第２色フィルタのいずれかと重なる複数の第２色電極をさらに含み、
前記複数の第２配線は、複数の第２色配線をさらに含み、
前記複数の第２色配線は、前記複数の第２配線のうち前記第１方向において前記第１信号線に最も近い第３信号線を含み、
前記複数のスイッチ素子は、
それぞれが、前記第１グループに含まれる前記複数の第１配線のそれぞれと、前記第３信号線と、に電気的に接続された複数の第５スイッチと、
それぞれが、前記第２グループに含まれる前記複数の第１配線のそれぞれと、前記第３信号線と、に電気的に接続された複数の第６スイッチと、
をさらに含み、
前記複数の第２色電極は、
それぞれが前記複数の第５スイッチのそれぞれと電気的に接続された複数の第５画素電極と、
それぞれが前記複数の第６スイッチのそれぞれと電気的に接続された複数の第６画素電極と、
を含み、
前記電極層の一部は、前記平面に投影したときに前記複数の第５画素電極及び前記複数の第６画素電極と重なり、
前記第１動作は、前記第１表示期間において、前記第１グループに含まれる前記複数の第１配線を順次選択して、前記電極層を基準とした前記第１極性の第５信号を前記第３信号線に供給する動作をさらに含み、
前記第２動作は、前記第２表示期間において、前記第２グループに含まれる前記複数の第１配線を順次選択して、前記電極層を基準とした前記第１極性の第６信号を前記第３信号線に供給する動作をさらに含み、
前記第３動作は、前記第３表示期間において、前記第１グループに含まれる前記複数の第１配線を順次選択して、前記電極層を基準とした前記第２極性の第７信号を前記第３信号線に供給する動作をさらに含み、
前記第４動作は、前記第４表示期間において、前記第２グループに含まれる前記複数の第１配線を順次選択して、前記電極層を基準とした前記第２極性の第８信号を前記第３信号線に供給する動作をさらに含む請求項６記載の表示装置。
【請求項８】
前記複数の第１配線は、前記第１グループに含まれる前記複数の第１配線の一部、及び、前記第２グループに含まれる前記複数の第１配線の一部、とは別の一部を含む第３グループをさらに含み、
前記複数のスイッチ素子は、それぞれが前記第３グループに含まれる前記複数の第１配線のそれぞれと、前記第１信号線と、に電気的に接続された複数の第１２スイッチをさらに含み、
前記複数の第１色電極は、それぞれが前記複数の第１２スイッチのそれぞれと電気的に接続された複数の第１２画素電極をさらに含み、
前記電極層の一部は、前記平面に投影したときに前記複数の第１２画素電極と重なり、
前記制御部は、
前記第１フレームを表示する期間のうちの、前記第１表示期間及び前記第２表示期間とは異なる第５表示期間において、前記第３グループに含まれる前記複数の第１配線を順次選択して、前記電極層を基準とした前記第２極性の第９信号を前記第１信号線に供給する第５動作と、
前記第２フレームを表示する期間のうちの、前記第３表示期間及び前記第４表示期間とは異なる第６表示期間において、前記第３グループに含まれる前記複数の第１配線を順次選択して、前記電極層を基準とした前記第１極性の第１０信号を前記第１信号線に供給する第６動作と、
をさらに行う請求項６または７に記載の表示装置。
【請求項９】
前記複数の第２配線は、
前記第１信号線と、
前記第１信号線と隣接する第１隣接線と、
前記第１信号線と隣接する第２隣接線と、
を含む第１部分を含み、
前記第１信号線は、前記第１隣接線と前記第２隣接線との間に設けられ、
前記制御部は、
前記第１部分に含まれる前記複数の第２配線のそれぞれと電気的に接続された第１セレクタと、
それぞれが前記第１セレクタと電気的に接続された複数のソースアンプと、
を含む駆動回路を含み、
前記第１セレクタは、前記第１表示期間のうちの第１期間において、前記第１部分に含まれる前記複数の第２配線のそれぞれを、前記複数のソースアンプのそれぞれと通電可能とし、
前記制御部は、前記第１期間において、前記第１信号線に前記第１画像信号を供給し、前記第１隣接線に前記第１画像信号とは異なる画像信号を供給し、前記第２隣接線に前記第１画像信号とはさらに異なる画像信号を供給する請求項１〜５のいずれか１つに記載の表示装置。
【請求項１０】
前記複数の第１色配線は、前記第１方向において前記第１信号線と離間する第７信号線をさらに含み、
前記複数のスイッチ素子は、それぞれが、前記第１グループに含まれる前記複数の第１配線それぞれと、前記第７信号線と、に電気的に接続された複数の第１３スイッチをさらに含み、
前記複数の第１色電極は、それぞれが前記複数の第１３スイッチのそれぞれと電気的に接続された複数の第１３画素電極をさらに含み、
前記第１動作は、前記第１表示期間において、前記第１グループに含まれる前記複数の第１配線を順次選択して、前記第２極性の第１３画像信号を前記第７信号線に供給する動作を含み、
前記複数のソースアンプは、
前記第１信号線と通電可能な第１ソースアンプと、
前記第７信号線と通電可能な第２ソースアンプと、
を含み、
前記第１ソースアンプと前記第２ソースアンプとは、互いに隣合う請求項９記載の表示装置。
【請求項１１】
前記複数の開口部のそれぞれは、前記第１方向において互いに離間し、前記第２方向に延在し、
前記電極層は、前記第１方向において互いに離間した複数の第３配線であって、前記第２方向に延在する前記複数の第３配線を含む請求項１〜１０のいずれか１つに記載の表示装置。
【請求項１２】
前記平面に対して垂直な方向において前記複数の第３配線と離間した複数の第４配線をさらに備え、
前記複数の第４配線のそれぞれは、前記第１方向に延在し、前記第２方向において並ぶ請求項１１記載の表示装置。
【請求項１３】
前記制御部は、前記第１表示期間と前記第２表示期間との間の非表示期間において、前記複数の第４配線の少なくともいずれかと、前記複数の第３配線の少なくともいずれかと、の間に流れる電流を検知する請求項１２記載の表示装置。
【請求項１４】
前記制御部は、前記複数の第４配線の前記少なくともいずれかに近接する物体による、前記複数の第４配線の前記少なくともいずれかと、前記複数の第３配線の前記少なくともいずれかと、の間の容量の変化に基づく前記電流の変化を検出する請求項１３記載の表示装置。
【請求項１５】
前記第１色は、青色である請求項１〜１４のいずれか１つに記載の表示装置。
【請求項１６】
前記第２方向に延在する複数の補助配線をさらに備え、
前記複数の補助配線のそれぞれは、前記電極層と電気的に接続され、
前記複数の補助配線のそれぞれの電気抵抗は、前記電極層の電気抵抗よりも低い請求項１〜１５のいずれか１つに記載の表示装置。
【請求項１７】
請求項１〜１６のいずれか１つに記載した表示装置を備えた電子機器。
【発明の詳細な説明】
【技術分野】
【０００１】
本発明の実施形態は、表示装置及び電子機器に関する。
【背景技術】
【０００２】
液晶や有機ＥＬなどを用いた表示装置が開発されている。例えば、画素電極及びコモン電極の電位を設定することで、液晶層の光学特性を変化させて表示動作が行われる。このような表示装置において、高品位の表示が望まれる。
【先行技術文献】
【特許文献】
【０００３】
【特許文献１】特開２０１３−７６７９５号公報
【発明の概要】
【発明が解決しようとする課題】
【０００４】
本発明の実施形態は、高品位の表示装置及び電子機器を提供する。
【課題を解決するための手段】
【０００５】
本発明の実施形態によれば、複数の第１配線と、複数の第２配線と、複数のスイッチ素子と、複数の画素電極と、電極層と、表示装置と、第１色の複数の第１色フィルタと、制御部と、を含む表示装置が提供される。前記複数の第１配線は、第１方向に延在し前記第１方向と交差する第２方向に並ぶ。前記複数の第２配線は、前記第２方向に延在し前記第１方向に並ぶ。前記複数のスイッチ素子のそれぞれは、前記複数の第１配線のいずれか及び前記複数の第２配線のいずれかと電気的に接続される。前記複数の画素電極のそれぞれは、前記複数のスイッチ素子のそれぞれと電気的に接続される。前記電極層は、前記第１方向及び前記第２方向を含む平面に沿って延在する。前記電極層には、前記平面と交差する方向において前記電極層を貫通する複数の開口部が設けられる。前記表示層は、前記複数の画素電極に与えられる電気信号に基づいて、光学特性の変化と、発光と、の少なくともいずれかの光学動作を行う。前記制御部は、前記複数の第１配線と、前記複数の第２配線と、前記電極層と、に電気的に接続される。前記複数の第１配線は、前記複数の第１配線の一部を含む第１グループと、前記第１グループの前記第２方向の隣に配置され前記複数の第１配線の別の一部を含む第２グループと、を含む。前記複数の画素電極は、前記平面に投影したときに前記複数の第１色フィルタのいずれかと重なる複数の第１色電極を含む。前記複数の第２配線は、前記複数のスイッチ素子のいずれかを介して前記複数の第１色電極のいずれかと電気的に接続された複数の第１色配線を含む。前記複数の第１色配線は、第１信号線と、前記第１色配線のうちで前記第１信号線と最も近い第２信号線と、を含む。前記複数のスイッチ素子は、複数の第１スイッチと、複数の第２スイッチと、複数の第３スイッチと、複数の第４スイッチと、を含む。前記複数の第１スイッチのそれぞれは、前記第１グループに含まれる前記複数の第１配線のそれぞれと、前記第１信号線と、に電気的に接続される。前記複数の第２スイッチのそれぞれは、前記第２グループに含まれる前記複数の第１配線のそれぞれと、前記第１信号線と、に電気的に接続される。前記複数の第３スイッチのそれぞれは、前記第１グループに含まれる前記複数の第１配線のそれぞれと、前記第２信号線と、に電気的に接続される。前記複数の第４スイッチのそれぞれは、前記第２グループに含まれる前記複数の第１配線のそれぞれと、前記第２信号線と、に電気的に接続される。前記複数の第１色電極は、複数の第１画素電極と、複数の第２画素電極と、複数の第３画素電極と、複数の第４画素電極と、を含む。前記複数の第１画素電極のそれぞれは、前記複数の第１スイッチのそれぞれと電気的に接続される。前記複数の第２画素電極のそれぞれは、前記複数の第２スイッチのそれぞれと電気的に接続される。前記複数の第３画素電極のそれぞれは、前記複数の第３スイッチのそれぞれと電気的に接続される。前記複数の第４画素電極のそれぞれは、前記複数の第４スイッチのそれぞれと電気的に接続される。前記複数の開口部のそれぞれの少なくとも一部は、前記平面に投影したときに、前記第１信号線の少なくとも一部と重なる。前記電極層の少なくとも一部は、前記平面に投影したときに、前記複数の第１画素電極、前記複数の第２画素電極、前記複数の第３画素電極及び前記複数の第４画素電極と重なる。前記制御部は、第１動作と、第２動作とを行う。前記第１動作は、第１表示期間において、前記第１グループに含まれる前記複数の第１配線を順次選択して、前記電極層を基準とした第１極性の第１画像信号を前記第１信号線に供給し、前記電極層を基準とした前記第１極性の第３画像信号を前記第２信号線に供給する。前記第２動作は、前記第１表示期間の後の第２表示期間において、前記第２グループに含まれる前記複数の第１配線を順次選択して、前記電極層を基準とした前記第１極性とは逆の第２極性の第２画像信号を前記第１信号線に供給し、前記電極層を基準とした前記第２極性の第４画像信号を前記第２信号線に供給する。
【図面の簡単な説明】
【０００６】
【図１】第１の実施形態に係る表示装置を示す模式的斜視図である。
【図２】第１の実施形態に係る表示装置を示す模式図である。
【図３】第１の実施形態に係る表示装置を示す模式的断面図である。
【図４】図４（ａ）及び図４（ｂ）は、第１の実施形態に係る表示装置を示す模式的断面図である。
【図５】第１の実施形態に係る表示装置の動作を示す模式図である。
【図６】第１の実施形態に係る表示装置の動作を示す模式図である。
【図７】図７（ａ）〜図７（ｃ）は、参考例の表示装置の動作を示す模式図である。
【図８】参考例の表示装置の動作を示す模式図である。
【図９】第１の実施形態に係る表示装置の動作を示す模式図である。
【図１０】第１の実施形態に係る表示装置の動作を示す模式図である。
【図１１】図１１（ａ）及び図１１（ｂ）は、第２の実施形態に係る表示装置の動作を示す模式図である。
【図１２】図１２（ａ）〜図１２（ｄ）は、第２の実施形態に係る表示装置の動作を示す模式図である。
【図１３】図１３（ａ）〜図１３（ｈ）は、第２の実施形態に係る表示装置の動作を示す模式図である。
【図１４】第３の実施形態に係る表示装置を示す模式図である。
【図１５】第３の実施形態に係る表示装置を示す模式図である。
【図１６】第３の実施形態に係る表示装置を示す模式図である。
【図１７】第４の実施形態に係る表示装置を示す模式図である。
【図１８】第５の実施形態に係る電子装置を示す模式的斜視図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
図１は、第１の実施形態に係る表示装置を例示する模式的斜視図である。  
図１に表したように、本実施形態に係る表示装置１１０は、複数の第１配線Ｌ１（例えばゲート線ＧＬ）と、複数の第２配線Ｌ２（例えば信号線ＳＬ）と、電極層ＥＬ（例えばコモン電極ＣＬ）と、を含む。
【０００９】
複数のゲート線ＧＬのそれぞれは、第１方向Ｄ１に延在する。複数のゲート線ＧＬは、第２方向Ｄ２に並ぶ。第２方向Ｄ２は、第１方向Ｄ１と交差する。この例では、第２方向Ｄ２は、第１方向Ｄ１に対して垂直である。
【００１０】
複数の信号線ＳＬのそれぞれは、第２方向Ｄ２に延在する。複数の信号線ＳＬは、第１方向Ｄ１に並ぶ。
【００１１】
コモン電極ＣＬは、第１方向Ｄ１及び第２方向Ｄ２を含む平面に沿って延在する。コモン電極ＣＬには、後述する複数の開口部Ｇ３が設けられている。また、後述するように、コモン電極ＣＬは、第２方向Ｄ２に延在し、第１方向Ｄ１に並ぶ複数の第３配線Ｌ３（コモン線）であってもよい。
【００１２】
第１方向Ｄ１及び第２方向Ｄ２を含む平面をＸ−Ｙ平面とする。Ｘ−Ｙ平面に対して垂直な方向をＺ軸方向とする。Ｘ−Ｙ平面内の１つの方向がＸ軸方向である。Ｘ−Ｙ平面内の１つの方向がＹ軸方向である。Ｙ軸方向は、Ｘ軸方向に対して垂直である。この例では、第１方向Ｄ１は、Ｘ軸方向に対して平行である。第２方向Ｄ２は、Ｙ軸方向に対して平行である。
【００１３】
複数のゲート線ＧＬは、例えば、第１ゲート線ＧＬ１、第２ゲート線ＧＬ２、及び、第ｎゲート線ＧＬｎを含む。ゲート線ＧＬの数は、ｎである。ｎは、２以上の整数である。例えば、ｎは、１９２０である。実施形態において、ｎは任意である。
【００１４】
複数の信号線ＳＬは、例えば、第ｍ信号線ＳＬｍを含む。信号線ＳＬの数は、ｍである。ｍは、２以上の整数である。例えば、ｍは、１０８０×３である。すなわち、例えば、赤画素、緑画素及び青画素の組が１つの要素となる場合、要素の数が１０８０である。Ｘ軸方向に沿って並ぶ複数の画素の数に対応して信号線ＳＬが設けられる。実施形態において、ｍは任意である。
【００１５】
例えば、複数の信号線ＳＬが複数のグループに分けられる。複数のグループのそれぞれは、互いに隣合う複数の信号線ＳＬを含む。例えば、１つのグループに含まれる信号線ＳＬの数は、２以上の整数である。
【００１６】
例えば、Ｘ−Ｙ平面に投影したときに、コモン電極ＣＬは、複数の信号線ＳＬのグループのそれぞれと重なる。
【００１７】
図２は、第１の実施形態に係る表示装置を例示する模式図である。  
図２に例示したように、表示装置１１０において、複数のスイッチ素子１１と、複数の画素電極Ｐｘと、表示層３０と、が設けられる。複数のスイッチ素子１１のそれぞれは、複数のゲート線ＧＬのいずれか、及び、複数の信号線ＳＬのいずれかと電気的に接続される。
【００１８】
実施形態において、電気的に接続される状態は、２つの導体が直接接する状態、及び、間に他の導体が挿入されて２つの導体の間に電流が流れる状態を含む。さらに、電気的に接続される状態は、間に素子（例えばスイッチ素子など）が挿入されて２つの導体の間に電流が流れる状態を形成可能な状態を含む。
【００１９】
例えば、スイッチ素子１１は、ゲート１１ｇと、半導体層１２と、を含む。半導体層１２は、第１半導体部分１２ａと、第２半導体部分１２ｂと、を含む。ゲート１１ｇが、複数のゲート線ＧＬの１つと電気的に接続される。半導体層１２の第１半導体部分１２ａが、複数の信号線ＳＬの１つと電気的に接続される。
【００２０】
複数の画素電極Ｐｘのそれぞれは、複数のスイッチ素子１１のそれぞれと電気的に接続される。例えば、１つの画素電極Ｐｘは、スイッチ素子１１の半導体層１２の第２半導体部分１２ｂと、電気的に接続される。
【００２１】
表示層３０は、複数の画素電極Ｐｘに与えられる電気信号に基づいて、光学動作を行う。光学動作は、光学特性の変化と、発光と、の少なくともいずれかを含む。後述するように、例えば、複数の画素電極Ｐｘは、表示層３０とコモン電極ＣＬとの間に設けられる。
【００２２】
表示層３０として液晶層が用いられる場合は、光学動作は、光学特性の変化を含む。光学特性は、例えば、複屈折率、旋光性、散乱性、光反射率及び光吸収率の少なくともいずれかを含む。例えば、画素電極Ｐｘに与えられる電気信号によって、表示層３０（液晶層）における液晶配向が変化し、実効的な複屈折率が変化する。旋光性、散乱性、光反射率及び光吸収率の少なくともいずれかが変化しても良い。
【００２３】
例えば、表示層３０として発光層（例えば有機発光層）が用いられ場合は、光学動作は、発光（光の放出）を含む。すなわち、表示層３０は、光学特性の変化と、発光と、の少なくともいずれかの光学動作を行う。
【００２４】
表示層３０は、例えば、負荷容量となる。この例では、表示層３０と並列に、蓄積容量Ｃｓが設けられている。蓄積容量Ｃｓは、必要に応じて設けられ、省略しても良い。
【００２５】
表示装置１１０において、複数の画素３５が設けられる。複数の画素３５のそれぞれに、少なくとも１つのスイッチ素子１１と、少なくとも１つの画素電極Ｐｘと、が設けられる。すなわち、複数のスイッチ素子１１のそれぞれが、複数の画素３５のそれぞれに設けられる。複数の画素電極Ｐｘのそれぞれが、複数の画素３５のそれぞれに設けられる。
【００２６】
図２に例示したように、表示装置１１０に制御部６０（駆動装置２１０）が設けられる。  
例えば、制御部６０は、駆動回路６１（第１駆動回路６１）と、駆動回路６２（第２駆動回路６２）と、制御回路６３と、を含む。第１駆動回路６１は、複数のゲート線ＧＬと電気的に接続される。第２駆動回路６２は、複数の信号線ＳＬ及びコモン電極ＣＬと電気的に接続される。制御回路６３は、第１駆動回路６１及び第２駆動回路６２と電気的に接続される。制御回路６３が入手する電気信号（画像信号を含む）に、適切な信号処理が行われる。信号処理が行われた電気信号が、第１駆動回路６１及び第２駆動回路６２に供給される。
【００２７】
図２に表したように、複数のゲート線ＧＬは、第１グループＧＰ１と、第２グループＧＰ２と、を含む。後述するように、例えば、第１グループＧＰ１に含まれるゲート線ＧＬが順次走査されて、第１グループＧＰ１に対応する画素３５において表示が行われる。その後、第２グループＧＰ２に含まれるゲート線ＧＬが順次走査されて、第２グループＧＰ２に対応する画素３５において表示が行われる。複数のグループの数は、例えば、２以上１００以下、例えば２０程度である。この値は例であり、実施形態において、グループの数は、任意である。後述するように、例えば、２つのグループの走査の間に、非表示動作が行われてもよい。
【００２８】
第１グループＧＰ１は、複数のゲート線ＧＬの一部（例えば、第（ｉ−２）ゲート線ＧＬｉ−２、及び、第（ｉ−１）ゲート線ＧＬｉ−１などであり、ｉは３以上の整数）を含む。  
第２グループＧＰ２は、第２グループＧＰ２と、Ｙ軸方向において、隣に配置される。第２グループＧＰ２は、複数のゲート線ＧＬの別の一部（例えば、第ｉゲート線ＧＬｉ、及び、第（ｉ＋１）ゲート線ＧＬｉ＋１など）を含む。
【００２９】
複数の信号線ＳＬは、複数の第１色配線ＳＣ１、複数の第２色配線ＳＣ２、及び複数の第３色配線ＳＣ３を含む。  
複数の第１色配線ＳＣ１のそれぞれは、例えば、第１色に対応する信号線ＳＬである。第１色は、例えば、赤（Ｒ）、緑（Ｇ）及び青（Ｂ）のいずれかである。この例では、第１色は、青色である。
【００３０】
複数の第１色配線ＳＣ１は、第１信号線ＳＬ１と第２信号線ＳＬ２と、を含む。第２信号線ＳＬ２は、Ｘ軸方向において、第１信号線ＳＬ１と離間する。第２信号線ＳＬ２は、第１色に対応する信号線ＳＬのうち、第１信号線ＳＬ１と最近接する信号線である。
【００３１】
複数の第２色配線ＳＣ２のそれぞれは、例えば、第１色とは異なる第２色に対応する信号線ＳＬである。この例では、第２色は、緑色である。複数の第２色配線ＳＣ２は、第３信号線ＳＬ３と第４信号線ＳＬ４とを含む。
【００３２】
第３信号線ＳＬ３は、Ｘ軸方向において、第１信号線ＳＬ１の隣に配置される（隣接する）。例えば、第３信号線ＳＬ３は、複数の信号線ＳＬのうち、Ｘ軸方向において第１信号線ＳＬ１と最近接する。例えば、第３信号線ＳＬ３は、第１信号線ＳＬ１と第２信号線ＳＬ２との間に配置される。
【００３３】
第４信号線ＳＬ４は、Ｘ軸方向において、第２信号線ＳＬ２と隣接する（隣に配置される）。例えば、第４信号線ＳＬ４は、複数の信号線ＳＬのうち、Ｘ軸方向において第２信号線ＳＬ２と最近接する。例えば、第２信号線ＳＬ２は、第３信号線ＳＬ３と第４信号線ＳＬ４との間に配置される。
【００３４】
複数の第３色配線ＳＣ３は、第３色に対応する信号線ＳＬである。第３色は、第１色とは異なり、第２色とも異なる。この例では、第３色は、赤である。赤色画素に対応する信号線ＳＬのそれぞれは、例えば、青色画素に対応する信号線ＳＬのそれぞれと、緑色画素に対応する信号線ＳＬのそれぞれと、の間に配置される。例えば、複数の第３色配線ＳＣ３は、第５信号線ＳＬ５を含む。第５信号線ＳＬ５は、第３信号線ＳＬ３と、第２信号線ＳＬ２と、の間に配置される。
【００３５】
複数のスイッチ素子１１は、複数の第１〜第１０スイッチＳＷ１〜ＳＷ１０を含む。  
複数の第１スイッチＳＷ１のそれぞれは、第１グループＧＰ１に含まれる複数のゲート線ＧＬのそれぞれと、第１信号線ＳＬ１と、に電気的に接続される。  
複数の第２スイッチＳＷ２のそれぞれは、第２グループＧＰ２に含まれる複数のゲート線ＧＬのそれぞれと、第１信号線ＳＬ１と、に電気的に接続される。
【００３６】
複数の第３スイッチＳＷ３のそれぞれは、第１グループＧＰ１に含まれる複数のゲート線ＧＬのそれぞれと、第２信号線ＳＬ２と、に電気的に接続される。  
複数の第４スイッチＳＷ４のそれぞれは、第２グループＧＰ２に含まれる複数のゲート線ＧＬのそれぞれと、第２信号線ＳＬ２と、に電気的に接続される。
【００３７】
複数の第５スイッチＳＷ５のそれぞれは、第１グループＧＰ１に含まれる複数のゲート線ＧＬのそれぞれと、第３信号線ＳＬ３と、に電気的に接続される。  
複数の第６スイッチＳＷ６のそれぞれは、第２グループＧＰ２に含まれる複数のゲート線ＧＬのそれぞれと、第３信号線ＳＬ３と、に電気的に接続される。
【００３８】
複数の第７スイッチＳＷ７のそれぞれは、第１グループＧＰ１に含まれる複数のゲート線ＧＬのそれぞれと、第４信号線ＳＬ４と、に電気的に接続される。  
複数の第８スイッチＳＷ８のそれぞれは、第２グループＧＰ２に含まれる複数のゲート線ＧＬのそれぞれと、第４信号線ＳＬ４と、に電気的に接続される。
【００３９】
複数の第９スイッチＳＷ９のそれぞれは、第１グループＧＰ１に含まれる複数のゲート線ＧＬのそれぞれと、第５信号線ＳＬ５と、に電気的に接続される。  
複数の第１０スイッチＳＷ１０のそれぞれは、第２グループＧＰ２に含まれる複数のゲート線ＧＬのそれぞれと、第５信号線ＳＬ５と、に電気的に接続される。
【００４０】
複数の画素電極Ｐｘは、複数の第１色電極Ｐｃ１、複数の第２色電極Ｐｃ２、及び複数の第３色電極Ｐｃ３を含む。第１〜第３色電極Ｐｃ１〜３のそれぞれは、第１色〜第３色のそれぞれに対応した画素電極Ｐｘである。  
複数の第１色電極Ｐｃ１は、複数の第１画素電極Ｐｘ１、複数の第２画素電極Ｐｘ２、複数の第３画素電極Ｐｘ３、及び複数の第４画素電極Ｐｘ４を含む。
【００４１】
複数の第１画素電極Ｐｘ１のそれぞれは、複数の第１スイッチＳＷ１のそれぞれと電気的に接続される。複数の第２画素電極Ｐｘ２のそれぞれは、複数の第２スイッチＳＷ２のそれぞれと電気的に接続される。複数の第３画素電極Ｐｘ３のそれぞれは、複数の第３スイッチＳＷ３のそれぞれと電気的に接続される。複数の第４画素電極Ｐｘ４のそれぞれは、複数の第４スイッチＳＷ４のそれぞれと電気的に接続される。
【００４２】
複数の第２色電極Ｐｃ２は、複数の第５画素電極Ｐｘ５、複数の第６画素電極Ｐｘ６、複数の第７画素電極Ｐｘ７、及び複数の第８画素電極Ｐｘ８を含む。  
複数の第５画素電極Ｐｘ５のそれぞれは、複数の第５スイッチＳＷ５のそれぞれと電気的に接続される。複数の第６画素電極Ｐｘ６のそれぞれは、複数の第６スイッチＳＷ６のそれぞれと電気的に接続される。複数の第７画素電極Ｐｘ７のそれぞれは、複数の第７スイッチＳＷ７のそれぞれと電気的に接続される。複数の第８画素電極Ｐｘ８のそれぞれは、複数の第８スイッチＳＷ８のそれぞれと電気的に接続される。
【００４３】
複数の第３色電極Ｐｃ３は、複数の第９画素電極Ｐｘ９及び複数の第１０画素電極Ｐｘ１０を含む。  
複数の第９画素電極Ｐｘ９のそれぞれは、複数の第９スイッチＳＷ９のそれぞれと電気的に接続される。複数の第１０画素電極Ｐｘ１０のそれぞれは、複数の第１０スイッチＳＷ１０のそれぞれと電気的に接続される。
【００４４】
コモン電極ＣＬの一部は、Ｘ−Ｙ平面（第１方向Ｄ１及び第２方向Ｄ２を含む平面）に投影したときに、第１〜第１０画素電極Ｐｘ１〜Ｐｘ１０のそれぞれの少なくとも一部と重なる。
【００４５】
図２に例示したように、この例では、複数の画素３５は、第１色画素３５ａと、第２色画素３５ｂと、第３色画素３５ｃと、を含む。実施形態において、複数の色の組み合わせは、変形が可能である。４色以上の画素３５が設けられても良い。
【００４６】
図３は、第１の実施形態に係る表示装置を例示する模式的断面図である。  
図３に表したように、表示装置１１０において、第１基板部１０ｕと、第２基板部２０ｕと、表示層３０と、が設けられる。表示装置１１０には、複数の画素３５が設けられる。図３は、１つの画素３５の部分を例示している。
【００４７】
例えば、第１基板部１０ｕとして、ＴＦＴ（薄膜トランジスタ）アレイ基板が用いられる。第１基板部１０ｕには、例えば、第１基板１０と、ゲート線ＧＬ（第１配線Ｌ１）と、スイッチ素子１１と、信号線ＳＬ（第２配線Ｌ２）と、コモン電極ＣＬ（電極層ＥＬ）と、画素電極Ｐｘと、が設けられる。第１基板部１０ｕは、Ｘ−Ｙ平面内に延在する。
【００４８】
この例では第１基板１０は、光透過性である。第１基板１０には、例えば、ガラスまたは樹脂が用いられる。第１基板１０の上に、ゲート線ＧＬが設けられる。
【００４９】
この例では、スイッチ素子１１として、ＴＦＴが用いられる。スイッチ素子１１は、半導体層１２を含む。半導体層１２は、第１半導体部分１２ａと、第２半導体部分１２ｂと、第３半導体部分１２ｃと、を含む。第２半導体部分１２ｂは、Ｘ−Ｙ平面内で、第１半導体部分１２ａと離間する。第３半導体部分１２ｃは、第１半導体部分１２ａと第２半導体部分１２ｂとの間に配置される。第１半導体部分１２ａは、スイッチ素子１１のソース及びドレインの一方となる。第２半導体部分１２ｂは、ソース及びドレインの他方となる。第３半導体部分１２ｃは、スイッチ素子１１のチャネル部となる。
【００５０】
スイッチ素子１１は、ゲート１１ｇと、ゲート絶縁膜１１ｉと、をさらに含む。第３半導体部分１２ｃとゲート１１ｇとの間に、ゲート絶縁膜１１ｉが設けられる。この例では、ゲート１１ｇの上に第３半導体部分１２ｃが配置される。この例では、スイッチ素子１１は、ゲート下置き構造を有する。実施形態において、スイッチ素子１１は、ゲート上置き構造を有しても良い。
【００５１】
信号線ＳＬは、第１半導体部分１２ａと電気的に接続される。この例では、信号線ＳＬの一部（第１接続部１５ａ）が、第１半導体部分１２ａと電気的に接続される。この例では、第１接続部１５ａは、第１接続導電部１５ｃにより第１半導体部分１２ａと電気的に接続される。
【００５２】
一方、第２半導体部分１２ｂの上に、第２接続導電部１５ｄが設けられる。第２接続導電部１５ｄの上に、第２接続部１５ｂが設けられる。
【００５３】
第１接続部１５ａ（信号線ＳＬ）と半導体層１２との間、第１接続導電部１５ｃと半導体層１２との間、第２接続部１５ｂと半導体層１２との間、及び、第２接続導電部１５ｄと半導体層１２との間に、層間絶縁層１３が設けられる。
【００５４】
この例では、コモン電極ＣＬが、信号線ＳＬなどの上に設けられる。コモン電極ＣＬと信号線ＳＬとの間には、第１絶縁層Ｉ１が設けられる。第１絶縁層Ｉ１は、複数の信号線ＳＬとコモン電極ＣＬとの間に設けられる。
【００５５】
コモン電極ＣＬの上に、画素電極Ｐｘが設けられる。この例では、画素電極Ｐｘは、櫛状であり、画素電極Ｐｘは、帯状の複数の部分Ｐｘｓを含む。複数の部分Ｐｘｓは、Ｘ−Ｙ平面内で互いに離間する。画素電極Ｐｘは、第２接続部１５ｂと電気的に接続される。この例では、画素電極Ｐｘは、第３接続導電部１７により、第２接続部１５ｂと電気的に接続される。
【００５６】
コモン電極ＣＬ及び画素電極Ｐｘの少なくともいずれかには、例えば、光透過性の導電層が用いられる。例えば、コモン電極ＣＬ及び画素電極Ｐｘの少なくともいずれかには、Ｉｎ、Ｓｎ、Ｚｎ及びＴｉよりなる群から選択された少なくともいずれかの元素を含む酸化物が用いられる。コモン電極ＣＬ及び画素電極Ｐｘには、例えばＩＴＯ（Indium Tin Oxide）などが用いられる。コモン電極ＣＬ及び画素電極Ｐｘとして、例えば、光透過性の薄い金属層を用いても良い。後述するように、コモン電極ＣＬに補助配線を設けても良い。
【００５７】
画素電極Ｐｘとコモン電極ＣＬとの間には、第２絶縁層Ｉ２が設けられる。この例では、コモン電極ＣＬの少なくとも一部は、複数の画素電極Ｐｘのいずれかの少なくとも一部と、複数の信号線ＳＬのいずれかの少なくとも一部と、の間に配置される。そして、第２絶縁層Ｉ２は、コモン電極ＣＬの上記の少なくとも一部と、複数の画素電極Ｐｘのいずれかの上記の少なくとも一部と、の間に配置される。  
この例では、画素電極Ｐｘの上に第１配向膜１８が設けられる。
【００５８】
第２基板部２０ｕは、Ｚ軸方向において、第１基板部１０ｕと離間する。この例では、第２基板部２０ｕは、第２基板２０と、着色層２５と、第２配向膜２８と、を含む。第２基板２０と第１基板部１０ｕとの間に、着色層２５が設けられる。着色層２５と第１基板部１０ｕとの間に、第２配向膜２８が設けられる。
【００５９】
この例では、第２基板２０は、光透過性である。  
着色層２５は、例えば、赤着色層、緑着色層及び青着色層などを含む。赤着色層、緑着色層及び青着色層のそれぞれは、複数の画素３５のそれぞれに対応して配置される。着色層２５の色は、４色以上でも良い。
【００６０】
第１基板部１０ｕと第２基板部２０ｕとの間に、表示層３０が設けられる。例えば、第１配向膜１８と第２配向膜２８との間に、表示層３０が配置される。
【００６１】
この例では、第１偏光層５１と第２偏光層５２とが設けられる。第１偏光層５１と第２偏光層５２との間に、第１基板部１０ｕが配置される。第１基板部１０ｕと第２偏光層５２との間に、第２基板部２０ｕが配置される。
【００６２】
この例では、バックライト部５５がさらに設けられる。バックライト部５５と第２偏光層５２との間に第１偏光層５１、第１基板部１０ｕ、表示層３０及び第２基板部２０ｕが配置される。バックライト部５５は、光を放出する。この光は、第１偏光層５１、第１基板部１０ｕ、表示層３０、第２基板部２０ｕ及び第２偏光層５２を通過して、表示装置１１０の外部に出射する。
【００６３】
画素電極Ｐｘと、コモン電極ＣＬと、の間に、「横電界」が生じる。横電界は、Ｘ−Ｙ平面に対して平行な成分を有する電界である。横電界により、表示層３０（液晶層）の液晶分子のダイレクタ（液晶分子の長軸方向）を、Ｘ−Ｙ平面内で変化させる。ダイレクタの方向の変化により、例えば、複屈折率及び旋光性の少なくともいずれかが変化する。すなわち、光学特性の変化が生じる。偏光層を用いることで、光学特性の変化が透過率の変化に変換される。
【００６４】
光学特性の変化により、バックライト部５５から出射した光の透過率が変化する。画素電極Ｐｘに与えられる電気信号（画像信号）に応じて、光の透過率が変化し、すなわち、明るさが変化する。明るさが変化した光が、表示装置１１０の上面Ｕｆから出射する。これにより、表示が行われる。
【００６５】
制御部６０の少なくとも一部は、第１基板部１０ｕに設けられても良い。制御部６０の少なくとも一部は、表示装置の駆動装置２１０（図２参照）に含まれても良い。駆動装置２１０の少なくとも一部が、制御部６０に含まれても良い。
【００６６】
図４（ａ）及び図４（ｂ）は、第１の実施形態に係る表示装置を例示する模式的断面図である。  
これらの図は、表示装置をＸ−Ｚ平面で切断した断面図である。図４（ａ）は、第１グループＧＰ１に対応する位置での断面図である。図４（ｂ）は、第２グループＧＰ２に対応する位置での断面図である。
【００６７】
図４（ａ）及び図４（ｂ）に表したように、この例では、着色層２５は、第２基板部２０ｕに設けられている。例えば、着色層２５と表示層３０との間に、第２配向膜２８（図４では図示しない）が配置される。実施形態において、着色層２５のＺ軸方向における位置は任意である。例えば、着色層２５は、第１基板部１０ｕに設けられても良い。
【００６８】
着色層２５は、例えば、第１〜第３色フィルタＦ１〜Ｆ３を含む。  
すなわち、表示装置１１０は、第１色の複数の第１色フィルタＦ１と、第２色の複数の第２色フィルタＦ２と、第３色の第３色フィルタＦ３と、をさらに含む。
【００６９】
第２色の視感度は、第１色の視感度よりも高い。第３色の視感度は、第１色の視感度よりも高い。第３色は、第２色とは異なる。第１色は、例えば、青色である。第２色は、緑色であり、第３色は、赤色である。第２色が赤色で、第３色が緑色でも良い。以下では、第２色が緑色であり、第３色が赤色とする。
【００７０】
Ｘ−Ｙ平面に投影したときに、複数の第１色フィルタＦ１の少なくとも一部は、複数の画素電極の一部と重なる。  
図４（ａ）及び図４（ｂ）に表したように、Ｘ−Ｙ平面に投影したときに、複数の第１色電極Ｐｃ１は、複数の第１色フィルタＦ１のいずれかと重なる。
【００７１】
Ｘ−Ｙ平面に投影したときに、複数の第２色フィルタＦ２の少なくとも一部は、複数の画素電極の一部と重なる。  
図４（ａ）及び図４（ｂ）に表したように、Ｘ−Ｙ平面に投影したときに、複数の第２色電極Ｐｃ２は、複数の第２色フィルタＦ２のいずれかと重なる。  
Ｘ−Ｙ平面に投影したときに、複数の第３色電極Ｐｃ３は、複数の第３色フィルタＦ３のいずれかと重なる。
【００７２】
第１〜第３色フィルタＦ１〜Ｆ３は、Ｘ軸方向に沿って、繰り返し設けられる。
【００７３】
例えば、複数の信号線ＳＬのうち、第１色に対応する信号線ＳＬ（第１色配線ＳＣ１）は、スイッチ素子１１を介して複数の第１色電極Ｐｃ１のいずれかと電気的に接続された信号線ＳＬである。  
同様に、第２色に対応する信号線ＳＬ（第２色配線ＳＣ２）は、スイッチ素子１１を介して複数の第２色電極Ｐｃ２のいずれかと電気的に接続された信号線ＳＬである。第３色に対応する信号線ＳＬ（第３色配線ＳＣ３）は、スイッチ素子１１を介して複数の第３色電極Ｐｃ３のいずれかと電気的に接続された信号線ＳＬである。
【００７４】
例えば、制御部６０から、第１信号線ＳＬ１及び第２信号線ＳＬ２に第１色に対応した画像信号が供給され、第１画素電極Ｐｘ１、第２画素電極Ｐｘ２、第３画素電極Ｐｘ３及び第４画素電極Ｐｘ４の電位が制御され、表示層３０の光学動作が行われる。このとき、光は、第１色フィルタＦ１を通過することで、第１色の光の強度の制御が行われる。
【００７５】
制御部６０から、第３信号線ＳＬ３及び第４信号線ＳＬ４に第２色に対応した画像信号が供給され、第５画素電極Ｐｘ５、第６画素電極Ｐｘ６、第７画素電極Ｐｘ７及び第８画素電極Ｐｘ８の電位が制御され、表示層３０の光学動作が行われる。このとき、光は、第２色フィルタＦ２を通過することで、第２色の光の強度の制御が行われる。
【００７６】
制御部６０から、第５信号線ＳＬ５に第３色に対応した画像信号が供給され、第９画素電極Ｐｘ９及び第１０画素電極Ｐｘ１０の電位が制御され、表示層３０の光学動作が行われる。このとき、光は、第３色フィルタＦ３を通過することで、第３色の光の強度の制御が行われる。  
これらの動作を実施することで、所望の色を有する所望の表示が行われる。
【００７７】
着色層２５は、第１色フィルタＦ１と第２色フィルタＦ２との間の第１境界部ｐ１と、第１色フィルタＦ１と第３色フィルタＦ３との間の第２境界部ｐ２と、第２色フィルタＦ２と第３色フィルタＦ３との間の第３境界部ｐ３と、を含む。
【００７８】
この例では、遮光層２７（例えばブラックマトリクス）が設けられている。遮光層２７は、Ｘ−Ｙ平面に投影したときに、第１境界部ｐ１、第２境界部ｐ２及び第３境界部ｐ３のそれぞれと重なる部分を有する。これにより、光漏れが抑制でき、より高品位の表示が得られる。遮光層２７は、例えば、Ｘ−Ｙ平面に投影したときに、複数の信号線ＳＬの少なくともいずれかと重なる。
【００７９】
図４（ａ）及び図４（ｂ）に表したように、例えば、電極層ＥＬ（コモン電極ＣＬ）には、複数の開口部Ｇ３（スリット）が設けられている。開口部Ｇ３は、Ｘ−Ｙ平面と交差する方向（例えば、Ｚ方向）において電極層ＥＬ（コモン電極ＣＬ）を貫通する。複数の開口部Ｇ３の少なくとも一部は、Ｘ−Ｙ平面に投影したときに、第１信号線ＳＬ１の少なくとも一部と重なる。この例では、複数の開口部Ｇ３の少なくとも一部は、第２信号線ＳＬ２の少なくとも一部とも重なる。開口部Ｇ３のそれぞれは、例えば、信号線ＳＬに沿って設けられる。
【００８０】
開口部Ｇ３は、Ｘ−Ｙ平面に投影したときに、第１境界部ｐ１、第２境界部ｐ２及び第３境界部ｐ３の少なくともいずれかと重なる。例えば、開口部Ｇ３は、Ｘ−Ｙ平面に投影したときに、第１画素電極Ｐｘ１と、第５画素電極Ｐｘ５との間の領域（例えば第１境界部ｐ１）と重なる。  
図４（ａ）及び図４（ｂ）に表したように、コモン電極ＣＬは、Ｘ−Ｙ平面に投影したときに、第１〜第１０画素電極Ｐｘ１〜１０のそれぞれの少なくとも一部と重なる。
【００８１】
このように、実施形態に係る表示装置においては、信号線ＳＬ（第２配線Ｌ２）の上の電極層ＥＬ（コモン電極ＣＬ）の一部に開口部Ｇ３が設けられる。これにより、例えば、表示装置の製造の歩留まりを改善することができる。例えば、表示装置の製造過程において、信号線ＳＬと、コモン電極ＣＬと、の間に異物が混入してしまう場合がある。例えば、この異物によって、信号線ＳＬとコモン電極ＣＬとがショートし、表示装置の歩留まりを低下させる。表示装置１１０においては、信号線上のコモン電極ＣＬの一部に開口部Ｇ３が設けられるため、異物が生じても、信号線ＳＬとコモン電極ＣＬとがショートしにくい。これにより、表示装置の歩留まりを向上させることができる。
【００８２】
一方、コモン電極ＣＬのうち、信号線ＳＬの上に位置する部分の全てに、開口部を設けることは、好ましくない。例えば、開口部のＸ−Ｙ平面における面積が大きくなることで、コモン電極ＣＬの電気抵抗が高くなり、表示装置の駆動における消費電力が大きくなる。
【００８３】
また、例えば、コモン電極ＣＬは、信号線ＳＬと画素電極Ｐｘとの間の電界などを遮蔽するシールドとしても用いられる。例えば、コモン電極ＣＬに多くの開口部を設け過ぎると、信号線ＳＬと画素電極Ｐｘとのカップリングが大きくなる。表示の均一性が低下してしまう場合がある。例えば、緑色に対応した信号線の上に開口部を設けると、表示のムラが目立つ場合がある。
【００８４】
コモン電極ＣＬのうち、信号線ＳＬの上に位置する部分の一部に、開口部を設けることが好ましい。例えば、青色に対応した信号線の上において、開口部を設けることが好ましい。
【００８５】
この例では、複数の補助配線Ｌ５がさらに設けられている。複数の補助配線Ｌ５のそれぞれは、Ｙ軸方向に延在する。複数の補助配線Ｌ５のそれぞれは、コモン電極ＣＬに電気的に接続される。複数の補助配線Ｌ５のそれぞれの電気抵抗は、コモン電極ＣＬの電気抵抗よりも低い。
【００８６】
既に説明したように、コモン電極ＣＬとして、光透過性の導電材料が用いられる。一方、補助配線Ｌ５には、低抵抗の材料（金属など）が用いられる。これにより、コモン電極ＣＬの実効的な抵抗が低減できる。クロストークの発生が抑制できる。
【００８７】
複数の補助配線Ｌ５の少なくともいずれかは、Ｘ−Ｙ平面に投影したときに、複数の信号線ＳＬと重なる。この例では、複数の補助配線Ｌ５は、Ｘ−Ｙ平面に投影したときに、第２境界部ｐ２または第３境界部ｐ３と重なる。
【００８８】
以下、表示装置１１０の動作の例について、説明する。  
図５は、第１の実施形態に係る表示装置の動作を例示する模式図である。  
図５は、表示装置１１０の動作を例示するタイムチャートである。横軸は、時間である。図５には、セレクタ信号ＳＥＬＲ、ＳＥＬＧ及びＳＥＬＢ、並びに、ソース信号ＳＳが例示されている。赤色信号線セレクタ、緑色信号線セレクタ、及び、青色信号線セレクタ（図示しない）が、設けられる。これらのセレクタは、信号線ＳＬに電気的に接続される。セレクタ信号ＳＥＬＲ、ＳＥＬＧ及びＳＥＬＢは、赤色信号線セレクタ、緑色信号線セレクタ、及び、青色信号線セレクタにそれぞれ供給される信号である。ソース信号ＳＳは、信号線ＳＬに供給される信号である。これらの信号は、制御部６０により供給される。図５には、ソース信号ＳＳの極性ＰＴが例示されている。極性ＰＴは、例えば、コモン電極ＣＬの電位を基準としたときのソース信号ＳＳの信号である。
【００８９】
図５に表したように、第１表示期間ＤＴ１、及び、第２表示期間ＤＴ２が設けられる。第２表示期間ＤＴ２は、第１表示期間ＤＴ１の後の期間である。第１表示期間ＤＴ１と第２表示期間ＤＴ２との間に非表示期間ＮＤＴが設けられてもよい。例えば、非表示期間ＮＤＴにおいて後述する非表示動作（検出動作ＯＰＴ）を行ってもよい。  
制御部６０は、第１表示期間ＤＴ１において、第１動作ＯＰ１を実施する。第１動作ＯＰ１においては、第１グループＧＰ１に対応する画素３５において表示が行われる。すなわち、第１グループＧＰ１に対応する画素３５に、表示のための情報が書き込まれる。
【００９０】
制御部６０は、第２表示期間ＤＴ２において、第２動作ＯＰ２を実施する。第２動作ＯＰ２においては、第２グループＧＰ２に対応する画素３５において表示が行われる。すなわち、第２グループＧＰ２に対応する画素３５に、表示のための情報が書き込まれる。
【００９１】
第１動作ＯＰ１及び第２動作ＯＰ２においては、セレクタ信号が順次、ハイ状態（選択状態）に設定され、ソース信号ＳＳとして、所望の画像データに対応する画像信号が供給される。
【００９２】
このとき、本実施形態においては、第１動作ＯＰ１における、青色に対応する第１信号線ＳＬ１に供給されるソース信号ＳＳの極性ＰＴは、例えばプラスである。第２動作ＯＰ２における、青色に対応する第１信号線ＳＬ１に供給されるソース信号ＳＳの極性ＰＴは、例えば、マイナスである。このように、実施形態においては、青色画素において、極性ＰＴが反転される。
【００９３】
一方、第１動作ＯＰ１及び第２動作ＯＰ２において、緑色に対応する第３信号線ＳＬ３に供給されるソース信号ＳＳの極性ＰＴは、例えばプラスである。  
また、同様に、第１動作ＯＰ１及び第２動作ＯＰ２において、赤色に対応する第５信号線ＳＬ５に供給されるソース信号ＳＳの極性ＰＴは、例えばマイナスである。
【００９４】
すなわち、互いに隣接する赤色の信号線と緑色の信号線とで、供給される信号の極性が異なる。そして、赤色及び緑色においては、第１動作ＯＰ１と第２動作ＯＰ２とで、信号線ＳＬに供給される信号の極性が同じである。一方、青色の信号線ＳＬにおいては、第１動作ＯＰ１と第２動作ＯＰ２とで、信号の極性が反転される。
【００９５】
以下、第１動作ＯＰ１及び第２動作ＯＰ２の例についてさらに説明する。  
図６は、第１の実施形態に係る表示装置の動作を例示する模式図である。  
図６は、表示装置１１０における信号の極性を例示している。  
図６に表したように、第１グループＧＰ１に対して第１動作ＯＰ１（第１表示動作）が行われ、その後、第２グループＧＰ２に対して第２動作ＯＰ２（第２表示動作）が行われる。
【００９６】
第１動作ＯＰ１では、制御部６０は、第１グループＧＰ１に含まれる複数のゲート線ＧＬ（図２参照）を順次選択して、第１画像信号Ｓｉｇ１（図５参照）を、第１信号線ＳＬ１に供給する。また、第３画像信号Ｓｉｇ３を、第２信号線ＳＬ２に供給する。
【００９７】
第１画像信号Ｓｉｇ１及び第３画像信号Ｓｉｇ３は、コモン電極ＣＬの電位を基準としたときに第１極性である。図６の例では、第１極性は、プラス「＋」である。
【００９８】
第２動作ＯＰ２では、制御部６０は、第２グループＧＰ２に含まれる複数のゲート線ＧＬ（図２参照）を順次選択して、第２画像信号Ｓｉｇ２（図５参照）を、第１信号ＳＬ１に供給する。また、第４画像信号Ｓｉｇ４を、第２信号線ＳＬ２に供給する。
【００９９】
第２画像信号Ｓｉｇ２及び第４画像信号Ｓｉｇ４は、コモン電極ＣＬの電位を基準としたときに第２極性である。第２極性は、第１極性とは逆の極性である。この例では、第２極性は、マイナス「−」である。例えば、第１極性及び第２極性は、フレーム周期ごとに互いに入れ替わる。
【０１００】
例えば、あるフレームにおいて、第１動作ＯＰ１において、第１グループＧＰ１に対応する青色画素（第１画素電極Ｐｘ１）には、正極性の第１画像信号Ｓｉｇ１が供給される。第１動作ＯＰ１の後の第２動作ＯＰ２において、第２グループＧＰ２に対応する青色画素（第２画素電極Ｐｘ２）には、負極性の第２画像信号Ｓｉｇ２が供給される。  
このように、本実施形態においては、第１動作ＯＰ１と第２動作ＯＰ２との間において、青色に対応する信号線ＳＬに供給される信号の極性が反転する。これにより、後述する表示の不均一性が抑制され、高品位の表示を得ることができる。
【０１０１】
一方、図６に例示したように、青色画素の隣の緑色画素においては、以下の動作が実施される。  
制御部６０は、第１動作ＯＰ１において、第１グループＧＰ１に含まれる複数のゲート線ＧＬ（図２参照）を順次選択して、第５画像信号Ｓｉｇ５を、第３信号線ＳＬ３に供給する。また、第７画像信号Ｓｉｇ７を、第４信号線ＳＬ４に供給する。第５画像信号Ｓｉｇ５は、コモン電極ＣＬの電位を基準としたときに第１極性である。第７画像信号Ｓｉｇ７は、コモン電極ＣＬの電位を基準としたときに第２極性である。
【０１０２】
制御部６０は、第２動作ＯＰ２において、第２グループＧＰ２に含まれる複数のゲート線ＧＬ（図２参照）を順次選択して、第６画像信号Ｓｉｇ６を、第３信号線ＳＬ３に供給する。また、第８画像信号Ｓｉｇ８を、第４信号線ＳＬ４に供給する。第６画像信号Ｓｉｇ６は、コモン電極ＣＬの電位を基準としたときに第１極性である。第８画像信号Ｓｉｇ８は、コモン電極ＣＬの電位を基準としたときに第２極性である。
【０１０３】
例えば、あるフレームにおいて、第１動作ＯＰ１において、第１グループＧＰ１に対応する緑色画素（第５画素電極Ｐｘ５）には、正極性の第５画像信号Ｓｉｇ５が供給される。第２動作ＯＰ２において、第２グループＧＰ２に対応する緑色画素（第６画素電極Ｐｘ６）には、正極性の第６画像信号Ｓｉｇ６が供給される。このように、第１動作ＯＰ１と第２動作ＯＰ２とにおいて、緑色に対応する信号線ＳＬに供給される信号の極性は、同じである。
【０１０４】
さらに、図６に例示したように、青色画素の隣の赤色画素においては、以下の動作が実施される。  
制御部６０は、第１動作ＯＰ１において、第１グループＧＰ１に含まれる複数のゲート線ＧＬ（図２参照）を順次選択して、第９画像信号Ｓｉｇ９を、第５信号線ＳＬ５に供給する。例えば、第９画像信号Ｓｉｇ９は、コモン電極ＣＬの電位を基準としたときに第２極性である。  
制御部６０は、第２動作ＯＰ２において、第２グループＧＰ２に含まれる複数のゲート線ＧＬ（図２参照）を順次選択して、第１０画像信号Ｓｉｇ１０を、第５信号線ＳＬ５に供給する。例えば、第１０画像信号Ｓｉｇ１０は、コモン電極ＣＬの電位を基準としたときに第２極性である。
【０１０５】
例えば、あるフレームにおいて、第１動作ＯＰ１において、第１グループＧＰ１に対応する赤色画素（第９画素電極Ｐｘ９）には、負極性の第９画像信号Ｓｉｇ９が供給される。第２動作ＯＰ２において、第２グループＧＰ２に対応する赤色画素（第１０画素電極Ｐｘ１０）には、負極性の第１０画像信号Ｓｉｇ１０が供給される。このように、第１動作ＯＰ１と第２動作ＯＰ２とにおいて、赤色に対応する信号線ＳＬに供給される信号の極性は、同じである。
【０１０６】
この例では、緑色画素に対応する信号線（例えば第３信号線ＳＬ３）と、その信号線に隣接し、赤色画素に対応する信号線（例えば第５信号線ＳＬ５）と、には互いに異なる極性の画像信号が供給される。
【０１０７】
実施形態に係る表示装置１１０においては、赤色画素に対応する複数の信号線のうち、最近接する２つの信号線（例えば、第３信号線ＳＬ３及び第４信号線ＳＬ４）には、互いに異なる極性の画像信号が供給される。赤色画素については、例えばＸ軸方向にそって、１カラムごとに、画像信号の極性が変化する。
【０１０８】
同様に、緑色画素に対応する複数の信号線のうち、最近接する２つの信号線には、互いに異なる極性の画像信号が供給される。緑色画素についても、例えば１カラムごとに画像信号の極性が変化する。
【０１０９】
一方、青色画素に対応する複数の信号線は、青色画素に対応する複数の信号線のうちで最近接し、互いに同じ極性の画像信号が供給される信号線を含む。例えば、第１動作ＯＰ１において、第１信号線ＳＬ１に供給される画像信号の極性と、第２信号線ＳＬ２に供給される画像信号の極性と、は同じである。青色画素については、例えば、Ｘ軸方向に沿って、２カラムごとに、画像信号の極性が変化する。但し、３カラムごと、または、４カラムごとに、極性が変化しても良い。  
このように青色画素に対応する複数の信号線を、例えば、２カラムごとに反転させる。これにより、後述する表示の不均一性が抑制され、高品位な表示を得ることができる。
【０１１０】
例えば、表示装置において、開口部Ｇ３を設けると、表示の均一性が低下する場合がある。これに対して、実施形態に係る表示装置においては、上述の動作によって、表示の不均一性を抑制することができる。
【０１１１】
以下、参考例の表示装置において生じる表示の不均一性の例について説明する。  
図７（ａ）〜図７（ｃ）は、参考例の表示装置の動作を例示する模式図である。  
図７（ａ）〜図７（ｃ）は、参考例の表示装置１１９ａを例示している。
【０１１２】
表示装置１１９ａにおいても第１基板部１０ｕ、第２基板部２０ｕなどが設けられる。表示装置１１９ａの構成には、表示装置１１０について説明した構成と同様の構成を適用することができる。表示装置１１９ａにおける動作は、表示装置１１０における動作とは異なる。
【０１１３】
表示装置１１９ａにおいては、複数の信号線ＳＬのそれぞれにおいて、第１動作ＯＰ１で供給される画像信号の極性と、第２動作ＯＰ２で供給される画像信号の極性と、が同じである。
【０１１４】
図７（ａ）は、表示装置１１９ａにおいて生じる表示の不均一性を例示している。図７（ｂ）は、表示装置１１９ａの一部の領域の断面図である。図７（ｃ）は、表示装置１１９ａにおける電位を例示している。
【０１１５】
図７（ａ）に例示したように、第１ゲート線Ｇｔ１〜第６ゲート線Ｇｔ６と、複数の信号線ＳＬと、が設けられる。以下では、カラム反転駆動によって、正極性の信号を画素電極Ｐｘに書き込む例について説明する。図７（ａ）においては、スイッチ素子１１は省略されている。信号線ＳＬとして、信号線Ｓ１と、信号線Ｓ２と、に着目する。
【０１１６】
図７（ａ）に例示したように、第１ゲート線Ｇｔ１と信号線Ｓ１との交差位置に、画素電極Ｐｉｘ１が設けられる。第２ゲート線Ｇｔ２と信号線Ｓ１との交差位置に、画素電極Ｐｉｘ２が設けられる。第２ゲート線Ｇｔ２と信号線Ｓ２との交差位置に、画素電極Ｐｉｘ３が設けられる。第３ゲート線Ｇｔ３と信号線Ｓ２との交差位置に、画素電極Ｐｉｘ４が設けられる。第４ゲート線Ｇｔ４と信号線Ｓ２との交差位置に、画素電極Ｐｉｘ５が設けられる。第５ゲート線Ｇｔ５と信号線Ｓ２との交差位置に、画素電極Ｐｉｘ６が設けられる。
【０１１７】
この例では、図７（ｂ）に例示するように、画素電極Ｐｉｘ２と画素電極Ｐｉｘ３との間の領域に、コモン電極ＣＬの開口部Ｇ３が配置される。開口部Ｇ３は、Ｘ−Ｙ平面に投影したときに、信号線ＳＬ（この例では、信号線Ｓ２）と重なる。
【０１１８】
図７（ａ）に例示したように、信号線Ｓ１に対応する画素電極Ｐｘには、同じ階調（第１階調）の表示のための信号が供給される。図７（ｂ）に例示したように、画素電極Ｐｉｘ３及び画素電極Ｐｉｘ６には、第１階調の表示のための信号が供給される。そして、画素電極Ｐｉｘ４及び画素電極Ｐｉｘ５には、第２階調の表示のための信号が供給される。例えば、第２階調の表示のための信号の大きさは、第１階調の表示のための信号の大きさよりも大きい。画素電極Ｐｘとコモン電極ＣＬとの間の電位差が小さいときに、暗表示（ノーマリダーク）とする。第２階調の明るさは、第１階調の明るさよりも明るい。
【０１１９】
このような表示を行った場合に、例えば、画素電極Ｐｉｘ３に対応する画素３５においては、表示すべき明るさ（第１階調）よりも明るくなり、画素電極Ｐｉｘ６に対応する画素３５においては、表示すべき明るさ（第１階調）よりも暗くなることがあることが分かった。すなわち、表示の不均一性が生じる。すなわち、縦クロストークが生じる。
【０１２０】
発明者の検討によると、この不均一性は、画素電極Ｐｘと、信号線ＳＬと、の間に容量が形成され、この容量によって、画素電極Ｐｘの電位が変動することが原因であると推定される。
【０１２１】
図７（ｃ）は、信号線ＳＬの電位、及び、画素電極Ｐｘの電位を例示している。図７（ｃ）において横軸は時間である。図７（ｃ）には、コモン電極ＣＬのコモン電位ＣＯＭが表示されている。
【０１２２】
図７（ｃ）に例示したように、信号線Ｓ１の電位は、第１階調に応じた電位である。一方、信号線Ｓ２の電位は、第３ゲート線Ｇｔ３及び第４ゲート線Ｇｔ４が選択されているときに、第２階調に応じた電位（第１階調よりも高い電位）である。なお、カラム反転駆動での状態を示すので、信号線Ｓ１と信号線Ｓ２とでは極性が反転している。
【０１２３】
図７（ｃ）に例示したように、画素電極Ｐｉｘ１及びＰｉｘ２は、所望の電位に設定される。これに対して、画素電極Ｐｉｘ３においては、所望の第１階調の電位に書き込まれた後に、第３ゲート線Ｇｔ３及び第４ゲート線Ｇｔ４が選択されている期間において、所定の電位（第２階調の電位）よりも低い電位に変動する。これは、画素電極Ｐｉｘ３と信号線Ｓ２との間のカップリングによって、画素電極Ｐｉｘ３の電位がより低い方（コモン電極の電位に対してより遠い方）に変動することが原因であると考えられる。すなわち、画素電極Ｐｉｘ３においては、電位変動ΔＶ１が生じる。このため、画素電極Ｐｉｘ３に対応する画素では、所望の明るさよりも明るくなると考えられる。
【０１２４】
逆に、図７（ｃ）に例示したように、画素電極Ｐｉｘ６においては、画素電極Ｐｉｘ６の電位が、画素電極Ｐｉｘ６に供給すべき信号を送っていると、信号線Ｓ２と画素電極Ｐｉｘ４及びＰｉｘ５との間のカップリングによって、変動する（画素電極Ｐｉｘ４及びＰｉｘ５のマイナス電位側に引っ張られる）。このため、画素電極Ｐｉｘ６においては、電位変動ΔＶ２が生じる。電位変動ΔＶ２は、電位変動ΔＶ１とは逆方向の電位変動である。このため、画素電極Ｐｉｘ６においては、所望の明るさよりも暗くなると考えられる。
【０１２５】
このように、表示装置１１９ａにおいては、画素電極Ｐｘと信号線ＳＬとの間に形成される容量カップリングによって、画素電極Ｐｘの電位（電位の時間的な平均値）が変動し、その結果、表示の不均一性が生じる。この容量は、図７（ｂ）に例示したように、主としてコモン電極ＣＬの開口部Ｇ３が設けられる場所に生じる。すなわち、この容量に起因した表示の不均一性は、複数の信号線ＳＬを含むグループに対して開口部Ｇ３が設けられる場合に特異的に生じる。
【０１２６】
また、表示装置１１９ａにおいては、画素電極Ｐｘとコモン電極ＣＬとの間に生じる容量によっても、表示の不均一性が生じることが分かった。
【０１２７】
例えば、コモン電極ＣＬの開口部Ｇ３の位置に、信号線ＳＬによる電界Ｅが生じる。この電界によって、表示の不均一が生じる場合がある。
【０１２８】
このような表示の不均一性を、例えば、ドット反転駆動またはライン反転駆動を用いることで抑制する試みが考えられる。しかしながら、これらの方法では、消費電力が増大する。
【０１２９】
本実施形態に係る表示装置１１０においては、開口部Ｇ３が設けられた位置に応じて、第１動作ＯＰ１と第２動作ＯＰ２との間で、信号線に供給される信号の極性を変化させる。この例では、第１信号線ＳＬ１に供給される信号の極性を変化させる。これにより、例えば、１フレーム中において第１信号線ＳＬ１の電位が平均化される。これにより、表示の不均一が抑制され、高品位の表示を提供できる。
【０１３０】
図８は、参考例の表示装置の動作を例示する模式図である。  
図８は、参考例の表示装置１１９ｂを例示している。表示装置１１９ｂにおいても第１基板部１０ｕ及び第２基板部２０ｕなどが設けられる。表示装置１１９ｂの構成には、表示装置１１０について説明した構成と同様の構成を適用することができる。表示装置１１９ｂにおける動作は、表示装置１１０における動作とは異なる。
【０１３１】
表示装置１１９ｂの第１動作ＯＰ１において、例えば、第２信号線ＳＬ２〜第５信号線ＳＬ５のそれぞれに供給される画像信号の極性は、表示装置１１０の第１動作ＯＰ１と同様である。また、表示装置１１９ｂの第２動作ＯＰ２においても、例えば、第２信号線ＳＬ２〜第５信号線ＳＬ５のそれぞれに供給される画像信号の極性は、表示装置１１０の第２動作ＯＰ２と同様である。また、青色画素において、第１動作ＯＰ１と第２動作ＯＰ２との間で、供給される画像信号の極性を変化させる。
【０１３２】
例えば、表示装置１１９ｂの第１動作ＯＰ１においては、第１信号線ＳＬ１に供給される画像信号の極性は、第２極性である。例えば、表示装置１１９ｂの第２動作ＯＰ２においては、第１信号線ＳＬ１に供給される画像信号の極性は、第１極性である。このように、表示装置１１９ｂの動作は、青色画素に対応する信号線に供給される信号の極性において、表示装置１１０の動作と異なる。表示装置１１９ｂにおいては、青色に対応する信号線のうち、Ｘ軸方向において互いに隣合う信号線に供給される信号の極性が異なる。すなわち、青色画素に対応する信号線に供給される信号の極性は、Ｘ軸方向に沿って、例えば１カラムごとに変化する。
【０１３３】
このような表示装置１１９ｂの動作においては、表示の均一性が低下する場合がある。例えば、図８に表したように、第１画素電極Ｐｘ１における画像信号の極性は、マイナスである。第５画素電極Ｐｘ５における画像信号の極性は、プラスである。さらに、第９画素電極Ｐｘ９における画像信号の極性は、マイナスである。このように、第１グループＧＰ１に含まれるゲート線ＧＬに接続された画素電極に供給される信号の極性は、Ｘ軸方向に沿って、１カラムごとに変化する。
【０１３４】
一方、図８に表したように、例えば、第１０画素電極Ｐｘ１０における画像信号の極性は、マイナスである。第４画素電極Ｐｘ４における画像信号の極性は、マイナスである。第８画素電極における画像信号の極性もマイナスである。このように、第２グループＧＰ２に含まれるゲート線ＧＬに接続された画素電極に供給される信号の極性は、Ｘ軸方向に沿って、３カラムごとに変化する。
【０１３５】
このように、表示装置１１９ｂにおいては、１カラムごとに信号の極性が反転するブロックと、３カラムごとに信号の極性が反転するブロックと、が生じる。このように信号の極性に偏りが生じることによって、例えばブロック単位のムラが見え、表示の均一性が低下する。
【０１３６】
これに対して、実施形態に係る表示装置１１０においては、青色画素に対応する信号線に供給される信号の極性は、Ｘ軸方向に沿って、例えば２カラムごとに変化する（２カラム周期で反転する）。すなわち、例えば、第１信号線ＳＬ１における信号の極性と、第２信号線ＳＬ２における信号の極性が同じである。これにより、信号の極性の偏りを抑制することができ、表示の不均一性を抑制し、高品位の表示が得られる。
【０１３７】
図９は、第１の実施形態に係る表示装置の動作を例示する模式図である。  
図９は、表示装置１１１における信号の極性を例示している。  
図９に表した表示装置１１１においては、例えば、第１色は、赤色であり、第２色は、青色であり、第３色は、緑色である。着色層２５は、第４色の複数の第４色フィルタＦ４をさらに含む。第４色は、第１色、第２色及び第３色とは異なる。例えば、第４色は、白色（Ｗ）である。表示装置１１１には、表示装置１１０と同様の構成を適用することができる。
【０１３８】
この例では、Ｘ−Ｙ平面内に投影したときに、第２色フィルタＦ２（青色フィルタ）の少なくとも一部は、複数の第５画素電極Ｐｘ５の一部と重なる。また、第４色フィルタＦ４（白色フィルタ）の少なくとも一部は、複数の第５画素電極Ｐｘ５とＹ軸方向において並ぶ画素電極Ｐｘ。例えば、青色画素（第２色フィルタＦ２と重なる画素電極）と、白色画素（第４色フィルタＦ４と重なる画素電極）と、がＹ軸方向に沿って交互に配置される。実施形態においては、このように、複数の第４色フィルタＦ４を設けてもよい。実施形態において、複数の第４色フィルタＦ４の配置は、適宜変更可能である。例えば、緑色画素と、白色画素と、をＹ軸方向に沿って交互に配置してもよい。
【０１３９】
表示装置１１１においても、第１動作ＯＰ１と第２動作ＯＰ２との間で、第１色に対応する信号線に供給される画像信号の極性が変化する。これにより、表示の不均一性が抑制される。
【０１４０】
さらに、第１色に対応する複数の信号線においては、供給される信号の極性がＸ軸方向に沿って２カラムごとに反転する。第２色に対応する複数の信号線においては供給される信号の極性がＸ軸方向に沿って、１カラムごとに反転する。これにより、信号の極性の偏りが抑制され、表示の不均一性が抑制される。
【０１４１】
図１０は、第１の実施形態に係る表示装置の動作を例示する模式図である。  
図１０は、表示装置１１２における信号の極性を例示している。表示装置１１２においても第４色フィルタＦ４が設けられる。この例では、第１色フィルタＦ１は、青色であり、第４色フィルタＦ４は、白色である。表示装置１１２には、表示装置１１０と同様の構成を適用することができる。
【０１４２】
表示装置１１２においては、複数の画素電極Ｐｘは、Ｘ−Ｙ平面に投影したときに複数の第４色フィルタＦ４のいずれかと重なる複数の第４色電極Ｐｃ４を含む。複数の信号線ＳＬは、複数の第４色配線ＳＣ４を含む。複数の第４色配線ＳＣ４のそれぞれは、複数のスイッチ素子１１のいずれかを介して、複数の第４色電極Ｐｃ４のいずれかと電気的に接続される。
【０１４３】
複数の第４色配線ＳＣ４は、第６信号線ＳＬ６を含む。第６信号線ＳＬ６は、第１信号線ＳＬ１と第２信号線ＳＬ２との間に設けられる。この例では、第６信号線ＳＬ６は、第２信号線ＳＬ２と第５信号線ＳＬ５との間に設けられる。第６信号線ＳＬ６は、第４色に対応する信号線である。
【０１４４】
例えば、複数の青色に対応する信号線どうしの間のそれぞれに、白色に対応する信号線が設けられる。この例では、青色に対応する信号線と、赤色に対応する信号線と、の間のそれぞれに、白色に対応する信号線が設けられる。白色に対応する信号線は、例えば、赤色に対応する信号線と、緑色に対応する信号線と、の間に設けられてもよい。実施形態においては、白色に対応する信号線の配置は種々の変形が可能である。
【０１４５】
複数のスイッチ素子１１は、複数の第１１スイッチＳＷ１１をさらに含む。複数の第１１スイッチＳＷ１１のそれぞれは、第１グループＧＰ１に含まれる複数のゲート線ＧＬのそれぞれと、第６信号線ＳＬ６と、に電気的に接続される。
【０１４６】
複数の第４色電極Ｐｃ４は、複数の第１１画素電極Ｐｘ１１をさらに含む。  複数の第１１画素電極Ｐｘ１１のそれぞれは、複数の第１１スイッチＳＷ１１のそれぞれと電気的に接続される。
【０１４７】
例えば、第１動作ＯＰ１において、制御部６０は、第１グループＧＰ１に含まれる複数のゲート線ＧＬを順次選択して、第１１画像信号Ｓｉｇ１１を、第６信号線ＳＬ６に供給する。第１１画像信号Ｓｉｇ１１は、コモン電極ＣＬの電位を基準としたときに、例えば、第１極性である。
【０１４８】
また、第２動作ＯＰ２では、制御部６０は、第２グループＧＰ２に含まれる複数のゲート線ＧＬを順次選択し、第６信号線ＳＬ６に、コモン電極ＣＬの電位を基準とした第１極性の画像信号を供給する。
【０１４９】
表示装置１１２においても、第１動作ＯＰ１と第２動作ＯＰ２との間で、第１色に対応する信号線に供給される画像信号の極性が変化する。これにより、表示の不均一性が抑制される。
【０１５０】
さらに、第１色に対応する複数の信号線においては、供給される信号の極性がＸ軸方向に沿って、２カラムごとに反転する。第２色に対応する複数の信号線においては、供給される信号の極性がＸ軸方向に沿って、１カラムごとに反転する。これにより、信号の極性の偏りが抑制され、表示の不均一性が抑制される。高品位の表示を得ることができる。
【０１５１】
（第２の実施形態）  
図１１（ａ）及び図１１（ｂ）は、第２の実施形態に係る表示装置の動作を例示する模式図である。  
図１１（ａ）及び図１１（ｂ）は、表示装置１１３の動作を例示するタイムチャートである。横軸は、時間である。表示装置１１３の構成には、表示装置１１０について説明した構成と同様の構成を適用することができる。
【０１５２】
図１１（ａ）は、表示装置１１３の第１フレームＦＲ１における動作を例示している。図１１（ｂ）は、表示装置１１３の第２フレームＦＲ２における動作を例示している。第２フレームＦＲ２は、第１フレームＦＲ１の次のフレームである。
【０１５３】
図１１（ａ）に表したように、表示装置１１３の制御部６０は、第１フレームＦＲ１を表示する期間において、第１動作ＯＰ１と、第２動作ＯＰ２と、を実施する。第１動作ＯＰ１、及び第２動作ＯＰ２は、表示装置１１０について説明した動作と同様である。
【０１５４】
図１１（ａ）に表したように、表示装置１１３の制御部６０は、第１フレームＦＲ１を表示する期間のうちの第１表示期間ＤＴ１において、第１動作ＯＰ１を実施し、第１グループＧＰ１に対応する画素３５において表示が行われる。
【０１５５】
制御部６０は、第１フレームＦＲ１を表示する期間のうちの第２表示期間ＤＴ２において、第２動作ＯＰ２を実施し、第２グループＧＰ２に対応する画素３５において表示が行われる。
【０１５６】
図１１（ｂ）に表したように、表示装置１１３の制御部６０は、第２フレームＦＲ２を表示する期間のうちの第３表示期間ＤＴ３において、第３動作ＯＰ３を実施し、第１グループＧＰ１に対応する画素３５において表示が行われる。
【０１５７】
制御部６０は、第２フレームＦＲ２を表示する期間のうちの第４表示期間ＤＴ４において、第４動作ＯＰ４を実施し、第２グループＧＰ２に対応する画素３５において表示が行われる。
【０１５８】
図１２（ａ）〜図１２（ｄ）は、第２の実施形態に係る表示装置の動作を例示する模式図である。  
図１２（ａ）は、表示装置１１３の第１フレームＦＲ１における動作を例示している。
【０１５９】
図１２（ａ）に表したように、制御部６０は、第１動作ＯＰ１において、第１グループＧＰ１に含まれる複数のゲート線ＧＬを順次選択して、第１極性の第１画像信号Ｓｉｇ１（第１信号）を第１信号線ＳＬ１に供給し、第１極性の第５画像信号Ｓｉｇ５（第５信号）を第３信号線ＳＬ３に供給する。この例では、第１極性は、プラスであり、第２極性は、マイナスである。
【０１６０】
制御部６０は、第２動作ＯＰ２において、第２グループＧＰ２に含まれる複数のゲート線ＧＬを順次選択して、第２極性の第２画像信号Ｓｉｇ２（第２信号）を第１信号線ＳＬ１に供給し、第１極性の第６画像信号Ｓｉｇ６（第６信号）を第３信号線ＳＬ３に供給する。
【０１６１】
図１２（ｂ）は、表示装置１１３の第２フレームＦＲ２における動作を例示している。図１２（ｂ）に表したように、制御部６０は、第３動作ＯＰ３において、第１グループＧＰ１に含まれる複数のゲート線ＧＬを順次選択して、第１極性の第１画像信号Ｓｉｇ１（第３信号）を第１信号線ＳＬ１に供給し、第２極性の第５画像信号Ｓｉｇ５（第７信号）を第３信号線ＳＬ３に供給する。
【０１６２】
制御部６０は、第４動作ＯＰ４において、第２グループＧＰ２に含まれる複数のゲート線ＧＬを順次選択して、第２極性の第２画像信号Ｓｉｇ２（第４信号）を第１信号線ＳＬ１に供給し、第２極性の第６画像信号Ｓｉｇ６（第８信号）を第３信号線ＳＬ３に供給する。
【０１６３】
このように、表示装置１１３においても、第１動作ＯＰ１と第２動作ＯＰ２とで、青色に対応する信号線に供給される画像信号の極性が変化する。第３動作ＯＰ３と第４動作ＯＰ４とで、青色に対応する信号線に供給される画像信号の極性が変化する。
【０１６４】
また、青色に対応する信号線（第１信号線ＳＬ１）に供給される画像信号の極性は、第１フレームＦＲ１と第２フレームＦＲ２と、で同じである。すなわち、例えば、青色に対応する信号線に供給される画像信号の極性は、２フレームごとに（第１反転周期で）反転する。第１反転周期は、この例では、２フレームである。第１反転周期は、２フレーム以上でもよい。
【０１６５】
緑色に対応する信号線（第３信号線ＳＬ３）に供給される画像信号の極性は、第１フレームＦＲ１と第２フレームＦＲ２と、で異なる。すなわち、例えば、緑色に対応する信号線に供給される画像信号の極性は、１フレームごとに（第２反転周期で）反転する。第２反転周期は、この例では、１フレームである。第２反転周期は、第１反転周期と異なる。
【０１６６】
このように、第１色に対応する信号線に供給される画像信号の極性が反転する時間的な周期は、第２色に対応する信号線に供給される画像信号の極性が反転する時間的な周期とは、異なる。これにより、画像信号の極性の偏りが、時間的に抑制される（平均化される）。
例えば、第１動作ＯＰ１において画像信号が供給される画素電極に着目すると、図１２（ａ）に表わしたように、Ｘ軸方向に沿って、プラスの信号が供給された画素電極と、マイナスの信号が供給された画素電極とが、それぞれ３つずつ交互に並んでいる。一方、次のフレームの第３動作ＯＰ３においては、図１２（ｂ）に表わしたように、Ｘ軸方向に沿って、プラスの信号が供給された画素電極と、マイナスの信号が供給された画素電極とが、それぞれ１つずつ交互に並んでいる。第２フレームＦＲ２においては、画像信号の極性の偏りが抑制されている。このように、画像信号の極性の偏りが、時間的に抑制される。表示の不均一性が抑制され、高品位の表示が得られる。
【０１６７】
図１２（ｃ）は、表示装置１１３の第３フレームＦＲ３における動作を例示している。第３フレームＦＲ３は、第２フレームＦＲ２の次のフレームである。図１２（ｃ）に表したように、第３フレームＦＲ３における第１信号線ＳＬ１に供給される画像信号の極性は、第２フレームＦＲ２における第１信号線ＳＬ１に供給される画像信号の極性と異なる。第３フレームＦＲ３における第３信号線ＳＬ３に供給される画像信号の極性は、第２フレームＦＲ２における第３信号線ＳＬ３に供給される画像信号の極性と異なる。
【０１６８】
図１２（ｄ）は、表示装置１１３の第４フレームＦＲ４における動作を例示している。第４フレームＦＲ４は、第３フレームＦＲ３の次のフレームである。図１２（ｄ）に表したように、第４フレームＦＲ４における第１信号線ＳＬ１に供給される画像信号の極性は、第３フレームＦＲ３における第１信号線ＳＬ１に供給される信号の極性と同じである。第４フレームＦＲ４における第３信号線ＳＬ３に供給される画像信号の極性は、第３フレームＦＲ３における第３信号線ＳＬ３に供給される画像信号の極性と異なる。
【０１６９】
この例では、制御部６０によって、第１〜第４フレームＦＲ１〜ＦＲ４において例示した極性と同様の極性の画像信号が、繰り返し信号線ＳＬに供給される。これにより、画像信号の極性の偏りが、時間的に抑制され、表示の不均一性が抑制される。
【０１７０】
図１３（ａ）〜図１３（ｈ）は、第２の実施形態に係る表示装置の動作を例示する模式図である。  
図１３（ａ）〜図１３（ｈ）のそれぞれは、第１〜８フレームＦＲ１〜ＦＲ８における表示装置１１４の動作を例示している。第１〜第８フレームＦＲ１〜ＦＲ８は、表示装置の動作において、この順に連続するフレームである。
【０１７１】
表示装置１１４には、表示装置１１０において説明した構成と同様の構成を適用することができる。さらに、表示装置１１４において、複数のゲート線ＧＬは、第３グループＧＰ３を含む。第３グループＧＰ３は、第１グループＧＰ１に含まれる複数のゲート線ＧＬの一部とは別の一部であり、第２グループＧＰ２に含まれる複数のゲート線ＧＬの一部とは、別の一部である。この例では、第３グループＧＰ３は、第１グループＧＰ１とＹ軸方向において隣接する。第１グループＧＰ１は、第２グループＧＰ２と第３グループＧＰ３との間に設けられる。
【０１７２】
複数のスイッチ素子１１は、複数の第１２スイッチＳＷ１２をさらに含む。複数の第１２スイッチＳＷ１２のそれぞれは、第３グループＧＰ３に含まれる複数のゲート線ＧＬのそれぞれと、第１信号線ＳＬ１と、に電気的に接続されている。
【０１７３】
複数の第１色電極Ｐｃ１は、複数の第１２画素電極Ｐｘ１２をさらに含む。複数の第１２画素電極Ｐｘ１２のそれぞれは、複数の第１２スイッチＳＷ１２のそれぞれと電気的に接続されている。コモン電極ＣＬの一部は、Ｘ−Ｙ平面に投影したときに複数の第１２画素電極Ｐｘ１２の少なくとも一部と重なる。
【０１７４】
図１３（ａ）に表わしたように、表示装置１１４は、第１動作ＯＰ１と第２動作ＯＰ２と、を行う。表示装置１１４における第１動作ＯＰ１及び第２動作ＯＰ２は、表示装置１１３において説明した第１動作ＯＰ１及び第２動作ＯＰ２と同様である。
【０１７５】
第１フレームＦＲ１は、第５表示期間ＤＴ５を含む。第５表示期間ＤＴ５は、第１表示期間ＤＴ１及び第２表示期間ＤＴ２とは異なる。この例では、第５表示期間ＤＴ５は、第１表示期間ＤＴ１の前の期間である。
【０１７６】
制御部６０は、第５表示期間ＤＴ５において、第５動作ＯＰ５を行う。第５動作ＯＰ５において、制御部６０は、第３グループＧＰ３に含まれる複数のゲート線ＧＬを順次選択して、コモン電極ＣＬの電位を基準とした第２極性の第１２画像信号Ｓｉｇ１２（第９信号）を第１信号線ＳＬ１に供給する。
【０１７７】
図１３（ｂ）に表わしたように、表示装置１１４は、第３動作ＯＰ３と第４動作ＯＰ４と、を行う。表示装置１１４における第３動作ＯＰ３及び第４動作ＯＰ４は、表示装置１１３において説明した第３動作ＯＰ３及び第４動作ＯＰ４と同様である。
【０１７８】
第２フレームＦＲ２は、第６表示期間ＤＴ６を含む。第６表示期間ＤＴ６は、第３表示期間ＤＴ３及び第４表示期間ＤＴ４とは異なる。この例では、第６表示期間ＤＴ６は、第３表示期間ＤＴ３の前の期間である。
【０１７９】
制御部６０は、第６表示期間ＤＴ６において、第６動作ＯＰ６を行う。第６動作ＯＰ６において、制御部６０は、第３グループＧＰ３に含まれる複数のゲート線ＧＬを順次選択して、コモン電極ＣＬの電位を基準とした第１極性の第１２画像信号Ｓｉｇ１２（第１０信号）を第１信号線ＳＬ１に供給する。
【０１８０】
このように、第１２画素電極Ｐｘ１２においては、第１フレームＦＲ１において供給される画像信号の極性と、第２フレームＦＲ２において供給される画像信号の極性と、が異なる。一方、すでに説明したように、例えば、第１画素電極Ｐｘ１または第２画素電極Ｐｘ２においては、第１フレームＦＲ１において供給される画像信号の極性と、第２フレームＦＲ２において供給される画像信号の極性と、が同じである。
【０１８１】
このように、例えば第１フレームＦＲ１と、次の第２フレームＦＲ２とで、供給される信号の極性が同じ画素電極と、供給される信号の極性が反転する画素電極と、を設ける。これにより、極性が反転するまでの時間の平均値が短くなる。例えば、フリッカノイズなどの影響を小さくすることができ、高品位の表示を得ることができる。  
なお、実施形態において、第１〜第１２画像信号Ｓｉｇ１〜１２は、それぞれ第１〜第１２画素電極Ｐｘ１〜１２に供給される画像信号である。例えば、第１フレームＦＲ１における第１画像信号Ｓｉｇ１の値と、第２フレームＦＲ２における第１画像信号Ｓｉｇ１の値とは、異なっていてもよい。
【０１８２】
図１３（ｃ）及び図１３（ｄ）に表わしたように、第３フレームＦＲ３と第４フレームＦＲ４との間において、第１画素電極Ｐｘ１及び第２画素電極Ｐｘ２に供給される画像信号の極性は、反転する。一方、第１２画素電極Ｐｘ１２に供給される画像信号の極性は、反転しない。
【０１８３】
図１３（ｅ）及び図１３（ｆ）に表わしたように、第５フレームＦＲ５と第６フレームＦＲ６との間においては、第１画素電極Ｐｘ１及び第２画素電極Ｐｘ２に供給される画像信号の極性は、反転しない。一方、第１２画素電極Ｐｘ１２に供給される画像信号の極性は、反転する。
【０１８４】
図１３（ｇ）及び図１３（ｈ）に表わしたように、第７フレームＦＲ７と第８フレームＦＲ８との間においては、第１画素電極Ｐｘ１及び第２画素電極Ｐｘ２に供給される画像信号の極性は、反転する。一方、第１２画素電極Ｐｘ１２に供給される画像信号の極性は、反転しない。
【０１８５】
このように、あるフレームと、その次のフレームとの間で、供給される画像信号の極性が反転する画素電極と、反転しない画素電極と、を順次入れ替える（ローテーションさせる）。この例では、２フレームごとに、入れ替えが行われている。これにより、ある画素電極において、極性が反転するまでの時間の平均値が短くなる。ただし、実施形態においては、入れ替えが行われる周期は、２フレームに限られない。
【０１８６】
表示装置１１４においては、画像信号の極性の偏りが抑制され、さらに、フリッカノイズなどの影響を小さくすることができる。高品位の表示を得ることができる。
【０１８７】
（第３の実施形態）  
図１４は、第３の実施形態に係る表示装置を例示する模式図である。  
図１４は、表示装置１１５を例示している。表示装置１１５には、表示装置１１０において説明した構成と同様の構成を適用することができる。表示装置１１５においては、表示装置１１０における説明と同様に、制御部６０は、第１動作ＯＰ１及び第２動作ＯＰ２を行う。
【０１８８】
図１４に表わしたように、表示装置１１５において、複数の信号線ＳＬは、第１部分Ｐ１を含む。第１部分Ｐ１は、第１信号線ＳＬ１と、第１隣接線ＳＬｎ１と、第２隣接線ＳＬｎ２と、を含む。第１隣接線ＳＬｎ１は、第１信号線ＳＬ１と隣接する。第２隣接線ＳＬｎ２は、第１信号線ＳＬ１と隣接する。第１隣接線ＳＬｎ１と、第２隣接線ＳＬｎ２との間に第１信号線ＳＬ１が設けられる。第１隣接線ＳＬｎ１は、例えば、第３信号線ＳＬ３である。複数の信号線ＳＬは、第１部分Ｐ１とは別の第２部分Ｐ２を含む。
【０１８９】
駆動回路６２は、第１セレクタＳＥＬ１と、複数のソースアンプＳｏと、を含む。この例では、駆動回路６２は、第２セレクタＳＥＬ２をさらに含む。
【０１９０】
第１セレクタＳＥＬ１は、第１部分Ｐ１に含まれる複数の信号線ＳＬのそれぞれと、電気的に接続される。第２セレクタＳＥＬ２は、第２部分Ｐ２に含まれる複数の信号線ＳＬのそれぞれと、電気的に接続される。
【０１９１】
複数のソースアンプＳｏのそれぞれは、第１セレクタＳＥＬ１と電気的に接続される。また、複数のソースアンプＳｏのそれぞれは、第２セレクタＳＥＬ２と電気的に接続される。
【０１９２】
第１表示期間ＤＴ１は、例えば、第１期間Ｔ１と、第２期間Ｔ２と、を含む。第２期間Ｔ２は、第１期間Ｔ１の後の期間である。
【０１９３】
第１期間Ｔ１において、第１セレクタＳＥＬ１は、第１部分Ｐ１に含まれる複数の信号線ＳＬのそれぞれを、複数のソースアンプＳｏのそれぞれと、通電可能とする。これにより、第１期間Ｔ１において、複数のソースアンプＳｏのそれぞれは、第１部分Ｐ１に含まれる複数の信号線ＳＬのそれぞれに画像信号を供給する。例えば、制御部６０は、第１期間Ｔ１において、第１信号線ＳＬ１に第１画像信号Ｓｉｇ１を供給し、第１隣接線ＳＬｎ１に第１画像信号Ｓｉｇ１とは異なる画像信号を供給し、第２隣接線ＳＬｎ２に第１画像信号Ｓｉｇ１とはさらに異なる第２隣接画像信号を供給する。
【０１９４】
第２期間Ｔ２において、第２セレクタＳＥＬ２は、第２部分Ｐ２に含まれる複数の信号線ＳＬのそれぞれを、複数のソースアンプＳｏのそれぞれと、通電可能とする。これにより、第２期間Ｔ２において、複数のソースアンプＳｏのそれぞれは、第２部分Ｐ２に含まれる複数の信号線ＳＬのそれぞれに画像信号を供給する。
【０１９５】
すなわち、第１期間Ｔ１において、第１信号線ＳＬ１と、第１信号線ＳＬ１と隣接する信号線と、に画像信号が供給される。例えば、第１信号線ＳＬ１と、第１信号線ＳＬ１と隣接する信号線と、に実質的に同時に画像信号が供給される。これにより、例えば、表示の不均一性を抑制することができる。
【０１９６】
表示装置１１５においては、例えば、第１画素電極Ｐｘ１に供給される画像信号の極性は、第１画素電極Ｐｘ１とＸ軸方向において隣接する画素電極Ｐｘ（例えば第５画素電極Ｐｘ５）に供給される画像信号の極性と同じである。一方、第２画素電極Ｐｘ２に供給される画像信号の極性は、第２画素電極Ｐｘ２とＸ軸方向において隣接する画素電極Ｐｘ（例えば第６画素電極Ｐｘ６）に供給される画像信号の極性とは、異なる。このため、第１信号線ＳＬ１に画像信号を供給するタイミングと、第１信号線ＳＬ１と隣接する信号線に画像信号線を供給するタイミングと、が異なると、第１信号線ＳＬ１と、隣接する信号線に接続された画素電極と、の間の容量カップリングによって、表示にムラが生じる場合がある。この場合、例えば、第１動作ＯＰ１における第１信号線ＳＬ１と第１隣接線ＳＬｎ１に接続された画素電極との間の容量カップリングと、第２動作ＯＰ２における第１信号線ＳＬ１と第１隣接線ＳＬｎ１に接続された画素電極との間の容量カップリングと、が異なる。これにより、表示のムラが生じる場合がある。
【０１９７】
これに対して、表示装置１１５においては、第１信号線ＳＬ１と、第１信号線ＳＬ１と隣接する信号線と、に例えば同時に画像信号が供給される。これにより、例えば、表示の不均一性を抑制することができる。
【０１９８】
例えば、複数のソースアンプＳｏのそれぞれは、表示動作において、フレームごとに信号線ＳＬに供給する画像信号の極性を反転させる。このため、例えば、互いに隣り合って配置されるソースアンプＳｏは、あるフレームにおいて、互いに異なる極性の信号を供給するように設計される。
【０１９９】
複数の第１色配線ＳＣ１は、第７信号線ＳＬ７をさらに含む。第７信号線ＳＬ７は、Ｘ軸方向において第１信号線ＳＬ１と離間する。この例では、第７信号線ＳＬ７は、青色に対応する複数の信号線ＳＬのうち、第１信号線ＳＬ１とＸ軸方向において隣接する信号線ＳＬである。青色に対応する複数の信号線ＳＬにおいて、供給される画像信号の極性は、Ｘ軸方向に沿って２カラムごとに反転している。
【０２００】
複数のスイッチ素子１１は、複数の第１３スイッチＳＷ１３をさらに含む。複数の第１３スイッチＳＷ１３のそれぞれは、第１グループＧＰ１に含まれる複数のゲート線ＧＬのそれぞれと、第７信号線ＳＬ７と、に電気的に接続される。
【０２０１】
複数の第１色電極Ｐｃ１は、複数の第１３画素電極Ｐｘ１３をさらに含む。複数の第１３画素電極Ｐｘ１３のそれぞれは、複数の第１３スイッチＳＷ１３のそれぞれと電気的に接続される。
【０２０２】
第１動作ＯＰ１は、第１表示期間ＤＴ１において、第１グループＧＰ１に含まれる複数のゲート線ＧＬを順次選択して、第７信号線ＳＬ７に第１３画像信号を供給する動作を含む。第１３画像信号の極性は、例えば、コモン電極ＣＬを基準として第２極性である。
【０２０３】
複数のソースアンプＳｏのそれぞれは、第１ソースアンプＳｏ１と、第２ソースアンプＳｏ２と、を含む。例えば、第１セレクタＳＥＬ１は、第１ソースアンプＳｏ１を第１信号線ＳＬ１と通電可能な状態とする。第１ソースアンプＳｏ１は、第１信号線ＳＬ１に画像信号を供給可能である。また、例えば、第１セレクタＳＥＬ１は、第２ソースアンプＳｏ２を第７信号線ＳＬ７と通電可能な状態とする。第２ソースアンプＳｏ２は、第７信号線ＳＬ７に画像信号を供給可能である。第１ソースアンプＳｏ１と第２ソースアンプＳｏ２とは、互いに隣合う。例えば、第２ソースアンプＳｏ２は、複数のソースアンプＳｏのうち第１ソースアンプＳｏ１と最近接するソースアンプＳｏである。
【０２０４】
このように、表示装置１１５においては、互いに隣り合って配置されるソースアンプＳｏが、あるフレームにおいて、互いに異なる極性の信号を供給する。これにより、駆動回路６２などの回路の設計がしやすくなる。
【０２０５】
図１５は、第３の実施形態に係る表示装置を例示する模式図である。  
図１５は、表示装置１１６を例示している。表示装置１１６においても、複数の信号線ＳＬは、第１部分Ｐ１及び第２部分Ｐ２を含む。駆動回路６２は、第１セレクタＳＥＬ１、第２セレクタＳＥＬ２及び複数のソースアンプＳｏなどを含む。表示装置１１６は、複数のソースアンプＳｏのそれぞれと第１セレクタＳＥＬ１との接続において、表示装置１１５と異なる。これ以外については、表示装置１１６には、表示装置１１５において説明した構成と同様の構成を適用することができる。
【０２０６】
表示装置１１６においても、互いに隣り合って配置されるソースアンプＳｏが、あるフレームにおいて、互いに異なる極性の信号を供給する。これにより、駆動回路６２などの回路の設計がしやすい。また、第１信号線ＳＬ１と、第１信号線ＳＬ１と隣接する信号線と、に例えば同時に画像信号が供給される。これにより、例えば、表示の不均一性を抑制することができる。
【０２０７】
図１６は、第３の実施形態に係る表示装置を例示する模式図である。  
図１６は、表示装置１１７を例示している。表示装置１１７においても、複数の信号線ＳＬは、第１部分Ｐ１及び第２部分Ｐ２を含む。駆動回路６２は、第１セレクタＳＥＬ１、第２セレクタＳＥＬ２及び複数のソースアンプＳｏなどを含む。
【０２０８】
表示装置１１７においては、複数の信号線ＳＬは、第３部分Ｐ３を含む。第３部分Ｐ３は、複数の信号線ＳＬのうち、第１部分Ｐ１及び第２部分Ｐ２とは、別の一部である。駆動回路６２は、第３セレクタＳＥＬ３をさらに含む。
【０２０９】
第３セレクタＳＥＬ３は、第３部分Ｐ３に含まれる複数の信号線ＳＬのそれぞれと、電気的に接続される。複数のソースアンプＳｏのそれぞれは、第３セレクタＳＥＬ３と電気的に接続される。
【０２１０】
第１表示期間ＤＴ１は、第３期間Ｔ３をさらに含む。例えば、第３期間Ｔ３は、第２期間Ｔ２の後の期間である。
【０２１１】
第３期間Ｔ３において、第３セレクタＳＥＬ３は、第３部分Ｐ３に含まれる複数の信号線ＳＬのそれぞれを、複数のソースアンプＳｏのそれぞれと、通電可能とする。これにより、第３期間Ｔ３において、複数のソースアンプＳｏのそれぞれは、第３部分Ｐ３に含まれる複数の信号線ＳＬのそれぞれに画像信号を供給する。これ以外は、表示装置１１７の構成には、表示装置１１５について説明した構成と同様の構成を適用することができる。
【０２１２】
表示装置１１７においても、互いに隣り合って配置されるソースアンプＳｏが、あるフレームにおいて、互いに異なる極性の信号を供給する。第１信号線ＳＬ１と、第１信号線ＳＬ１と隣接する信号線と、に例えば同時に画像信号が供給される。これにより、例えば、表示の不均一性を抑制することができる。
【０２１３】
（第４の実施形態）  
図１７は、第４の実施形態に係る表示装置を例示する模式図である。  
図１７は、第４の実施形態に係る表示装置を例示する模式的斜視図である。  
図１７に表したように、本実施形態に係る表示装置１１８においても、複数の第１配線Ｌ１（ゲート線ＧＬ）、複数の第２配線Ｌ２（信号線ＳＬ）及び電極層ＥＬ（コモン電極ＣＬ）が設けられる。
【０２１４】
表示装置１１８は、さらに複数の第４配線Ｌ４（例えば検出線ＲＬ）を含む。表示装置１１７においては、コモン電極ＣＬは、Ｙ軸方向に延在し、Ｘ軸方向に並ぶ複数の第３配線Ｌ３（コモン線）とみなすことができる。これ以外は、表示装置１１７の構成は、第１〜第３の実施形態に係る表示装置について説明した構成と同様である。
【０２１５】
コモン電極ＣＬには、複数の開口部Ｇ３が設けられている。複数の開口部Ｇ３は、Ｙ軸方向に延在し、Ｘ軸方向において互いに離間している。コモン電極ＣＬは、複数の開口部Ｇ３によって、互いに離間した複数の部分に分割されている。分割された複数の部分のそれぞれは、Ｘ軸方向において互いに離間し、Ｙ軸方向に延在する。すなわち、分割された複数の部分は、複数の第３配線Ｌ３とみなすことができる。
【０２１６】
複数の検出線ＲＬは、Ｘ−Ｙ平面に対して垂直な方向（Ｚ軸方向）において、第１〜第３配線Ｌ１〜Ｌ３と離間する。複数の検出線ＲＬのそれぞれは、Ｘ軸方向に延在する。複数の検出線ＲＬは、Ｙ軸方向に並ぶ。
【０２１７】
複数の第３配線Ｌ３は、例えば、第１コモン線ＣＬ１、第２コモン線ＣＬ２、及び、第Ｎコモン線ＣＬＮを含む。第３配線Ｌ３の数は、Ｎである。Ｎは、２以上の整数である。実施形態において、Ｎは任意である。
【０２１８】
複数の検出線ＲＬは、例えば、第１検出線ＲＬ１、第２検出線ＲＬ２、及び、第Ｍ検出線ＲＬＭを含む。検出線ＲＬの数は、Ｍである。Ｍは、２以上の整数である。実施形態において、Ｍは任意である。
【０２１９】
この例では、ゲート線ＧＬと検出線ＲＬとの間に、信号線ＳＬ及び第３配線Ｌ３が配置されている。実施形態においては、これらの線の配置（Ｚ軸方向における配置）は種々の変形が可能である。
【０２２０】
複数の第３配線Ｌ３と、複数の検出線ＲＬと、を用いて、例えば入力（例えばタッチ入力）が行われる。
【０２２１】
複数の検出線ＲＬは、例えば、第２基板２０と第２偏光層５２との間に設けられる。複数の検出線ＲＬと、複数の第３配線線Ｌ３と、により、表示装置１１０の上面Ｕｆへのタッチ入力が検出される。
【０２２２】
検出線ＲＬは、例えば、光透過性である。検出線ＲＬには、Ｉｎ、Ｓｎ、Ｚｎ及びＴｉよりなる群から選択された少なくともいずれかの元素を含む酸化物（例えば、ＩＴＯなど）などが用いられる。検出線ＲＬとして、光透過性の薄い金属層を用いても良い。
【０２２３】
例えば、制御部６０に、検出回路６５がさらに設けられても良い。検出回路６５は、検出線ＲＬと電気的に接続される。検出動作においては、例えば、第２駆動回路６２と検出回路６５とにより、複数の第３配線Ｌ３のそれぞれと、複数の検出線ＲＬのそれぞれと、の間に形成される容量が検出される。第３配線Ｌ３が、表示のための対向電極として用いられつつ、検出のための対向電極としても用いられる。
【０２２４】
例えば、複数の検出線ＲＬと、複数の第３配線Ｌ３と、により、表示装置１１８へのタッチ入力が検出される。検出動作においては、例えば、表示装置１１８の観視者（使用者）の指または入力部材（例えば入力ペンなど）などが表示装置１１８に接触、または、近接する。検出線ＲＬと第３配線Ｌ３（コモン電極ＣＬ）とによって形成される電気容量が、上記の接触または近接により変化する。この電気容量の変化を検出することで、タッチ入力が検出される。例えば、静電容量型の検出が行われる。表示装置１１０は、例えば、入力機能付きの表示装置である。
【０２２５】
表示装置１１８は、例えば、第１表示期間ＤＴ１と、第２表示期間ＤＴ２との間の非表示期間ＮＤＴにおいて、検出動作ＯＰＴを行うことができる。検出動作ＯＰＴにおいては、制御部６０は、例えば、検出信号ＴＳＶＣＯＭとして、交流信号を供給する。交流信号においては、高電圧と、その高電圧の絶対値よりも絶対値が小さい低電圧と、が繰り返される。この信号と、検出線ＲＬの信号と、により、タッチ検出が行われる。すなわち、検出動作ＯＰＴにおいては、制御部６０は、複数の検出線ＲＬの少なくともいずれかと、複数の第３配線Ｌ３の少なくともいずれかと、の間に流れる電流を検知する。例えば、制御部６０は、複数の検出線ＲＬの少なくともいずれかに近接する物体（観視者、使用者または操作者など）による、複数の検出線ＲＬの少なくともいずれかと、複数の第３配線Ｌ３の少なくともいずれかと、の間の容量の変化に基づく電流の変化を検出する。なお、検出動作ＯＰＴにおいては、ソース信号ＳＳは、例えば接地電位ＧＮＤである。
【０２２６】
このように、入力機能つきの表示装置においても、コモン電極ＣＬに、信号線の位置に対応して開口部Ｇ３が設けられる。この場合においても、第１〜第３の実施形態において説明した画素電極の駆動方法と同様の方法によって、表示の不均一性を抑制することができる。
【０２２７】
（第５の実施形態）  
図１８は、第５の実施形態に係る電子装置を例示する模式的斜視図である。  
図１８に表したように、本実施形態に係る電子機器３１０は、表示装置１１０を含む。表示装置として、第１及び第２の実施形態に関して説明した表示装置、及び、それの変形を用いても良い。この例では、電子機器３１０は、表示装置１１０を内部に格納する筐体１８０をさらに含む。電子機器３１０として、例えば、携帯電話、携帯情報端末、パーソナルコンピュータ、各種の情報機器などが用いられる。
【０２２８】
本実施形態に係る電子機器３１０は、第１〜４の実施形態に係る表示装置を用いることで、高品位の表示が提供できる。
【０２２９】
実施形態によれば、高品位の表示装置及び電子機器が提供できる。
【０２３０】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０２３１】
以上、具体例を参照しつつ、本発明の実施の形態について説明した。しかし、本発明の実施形態は、これらの具体例に限定されるものではない。例えば、表示装置に含まれる配線、スイッチ素子、表示装置、絶縁層、制御部、セレクタ及び回路、並びに、電子機器に含まれる筐体などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０２３２】
その他、本発明の実施の形態として上述した表示装置及び電子機器を基にして、当業者が適宜設計変更して実施し得る全ての発光装置及び電子機器も、本発明の要旨を包含する限り、本発明の範囲に属する。
【０２３３】
その他、本発明の思想の範疇において、当業者であれば、各種の変更例及び修正例に想到し得るものであり、それら変更例及び修正例についても本発明の範囲に属するものと了解される。
【０２３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２３５】
１０…第１基板、  １０ｕ…第１基板部、  １１…スイッチ素子、  １１ｇ…ゲート、  １１ｉ…ゲート絶縁膜、  １２…半導体層、  １２ａ…第１半導体部分、  １２ｂ…第２半導体部分、  １２ｃ…第３半導体部分、  １３…層間絶縁層、  １５ａ…第１接続部、  １５ｂ…第２接続部、  １５ｃ…第１接続導電部、  １５ｄ…第２接続導電部、  １７…第３接続導電部、  １８…第１配向膜、  ２０…第２基板、  ２０ｕ…第２基板部、  ２５…着色層、  ２７…遮光層、  ２８…第２配向膜、  ３０…表示層、  ３５…画素、  ３５ａ…第１色画素、  ３５ｂ…第２色画素、  ３５ｃ…第３色画素、  ５１…第１偏光層、  ５２…第２偏光層、  ５５…バックライト部、  ６０…制御部、  ６１…第１駆動回路、  ６２…第２駆動回路、  ６３…制御回路、  ６５…検出回路、  ΔＶ１、ΔＶ２…電位変動、  １１０〜１１８、１１９ａ、１１９ｂ…表示装置、  １８０…筐体、  ２１０…駆動装置、  ３１０…電子機器、  ＣＬ…コモン電極、  ＣＬ１〜ＣＬＮ…第１〜第Ｎコモン線、  ＣＯＭ…コモン電位、  Ｃｓ…蓄積容量、  Ｄ１、Ｄ２…第１、２方向、  ＤＴ１〜６…第１〜第６表示期間、  ＥＬ…電極層、  Ｆ１〜Ｆ４…第１〜第４色フィルタ、  ＦＲ１〜ＦＲ８…第１〜第８フレーム、  Ｇ３…開口部、  ＧＬ…ゲート線、  ＧＬ１〜ＧＬｎ…第１〜第ｎゲート線、  ＧＮＤ…接地電位、  ＧＰ１…第１〜第３グループ、  Ｇｔ１〜６…第１〜第６ゲート線、  Ｉ１、Ｉ２…第１、第２絶縁層、  Ｌ１〜Ｌ４…第１〜第４配線、  Ｌ５…補助配線、  ＮＤＴ…非表示期間、  ＯＰ１〜ＯＰ６…第１〜第６動作、  Ｐ１〜Ｐ３…第１〜第３部分、  Ｐｃ１〜Ｐｃ４…第１〜第４色電極、  ＰＴ…極性、  Ｐｉｘ１〜Ｐｉｘ６…画素電極、  Ｐｘ１〜Ｐｘ１３…第１〜第１３画素電極、  Ｐｘｓ…部分、  ＲＬ…検出線、  ＲＬ１〜ＲＬＭ…第１〜第Ｍ検出線、  Ｓ１、Ｓ２…信号線、  ＳＣ１〜ＳＣ４…第１〜第４色配線、  ＳＥＬ１〜ＳＥＬ３…第１〜第３セレクタ、  ＳＥＬＲ、ＳＥＬＧ、ＳＥＬＧ…セレクタ信号、  ＳＬ…信号線、  ＳＬ１〜ＳＬ７…第１〜第７信号線、  ＳＬｎ１、ＳＬｎ２…第１、第２隣接線、  Ｓｏ…ソースアンプ、  Ｓｏ１、Ｓｏ２…第１、第２ソースアンプ、  ＳＳ…ソース信号、  ＳＷ１〜ＳＷ１３…第１〜第１３スイッチ、  Ｓｉｇ１〜Ｓｉｇ１１  第１〜第１１画像信号、  Ｔ１〜Ｔ３…第１〜第３期間、  ＴＳＶＣＯＭ…検出信号、  Ｕｆ…上面、  ｐ１〜ｐ３…第１〜第３境界部
【図１】
2015206985.tif 000003
【図２】
2015206985.tif 000004
【図３】
2015206985.tif 000005
【図４】
2015206985.tif 000006
【図５】
2015206985.tif 000007
【図１１】
2015206985.tif 000008
【図１７】
2015206985.tif 000009
【図１８】
2015206985.tif 000010
【図６】
2015206985.tif 000011
【図７】
2015206985.tif 000012
【図８】
2015206985.tif 000013
【図９】
2015206985.tif 000014
【図１０】
2015206985.tif 000015
【図１２】
2015206985.tif 000016
【図１３】
2015206985.tif 000017
【図１４】
2015206985.tif 000018
【図１５】
2015206985.tif 000019
【図１６】
2015206985.tif 000020